(57)【要約】  マルチ搬送波チャネル品質インジケータ（ＣＱＩ）フィードバックを促進するための方法、装置、および、コンピュータプログラムプロダクトが開示されている。ワイヤレス端末は、複数の搬送波を通して基地局と通信し、複数の搬送波中に含まれている搬送波のサブセットを識別する、基地局により発生されたコンフィギュレーションデータを受信する。ワイヤレス端末は、基準搬送波を識別し、基準搬送波に対応する基準ＣＱＩ値を基地局に報告する。ワイヤレス端末はまた、基準ＣＱＩ値から導出した差分ＣＱＩ値を基地局に報告する。【選択図】    図５
2012526462.tif 000002
【特許請求の範囲】
【請求項１】
ワイヤレス端末からのマルチ搬送波チャネル品質インジケータ（ＣＱＩ）フィードバックを促進する方法において、
プロセッサを用いて、
複数の搬送波を通して基地局と通信するステップと、
前記複数の搬送波中に含まれている搬送波のサブセットを識別するコンフィギュレーションデータセットを、前記基地局から受信するステップと、
前記搬送波のサブセット内の基準搬送波を識別するステップと、
前記基準搬送波に対応する基準ＣＱＩ値と、前記基準ＣＱＩ値から導出した少なくとも１つの差分ＣＱＩ値とを前記基地局に報告するステップとを含む一連のステップを実現するように、コンピュータ読取可能記憶媒体上に記憶されているコンピュータ実行可能な命令を実行することを含む方法。
【請求項２】
前記識別することは、前記搬送波のサブセットのそれぞれに対するＣＱＩ値を把握することをさらに含み、前記搬送波のサブセットのそれぞれに対する前記ＣＱＩ値の比較の関数として、前記基準搬送波を識別する請求項１記載の方法。
【請求項３】
前記識別することは、前記搬送波のサブセット間で最も高いＣＱＩ値を把握することをさらに含み、前記搬送波のサブセット間で前記最も高いＣＱＩ値に基づいて、前記基準搬送波を識別する請求項２記載の方法。
【請求項４】
前記搬送波のサブセットは、前記基準搬送波とは異なる複数の非基準搬送波を含み、前記複数の非基準搬送波のそれぞれは、前記搬送波のサブセット間で前記最も高いＣＱＩ値と比較した対応する差分ＣＱＩ値を有し、前記報告することは、異なる報告インスタンスにおいて、前記複数の非基準搬送波のそれぞれをサイクルさせることにより、前記複数の非基準搬送波のそれぞれに対する対応する差分ＣＱＩ値を報告することをさらに含む請求項３記載の方法。
【請求項５】
前記報告することは、複数の報告インスタンスのそれぞれにおいて、前記基地局に対する前記基準搬送波を識別することをさらに含む請求項３記載の方法。
【請求項６】
前記搬送波のサブセットのうちの少なくとも１つに対する複数のバンド幅部分を規定することにより、前記搬送波のサブセットのうちの少なくとも１つに対する複数のサブバンドＣＱＩ値を把握することをさらに含み、前記基準ＣＱＩ値は、前記複数のバンド幅部分のうちの第１のものに対応する、前記複数のサブバンドＣＱＩ値のうちの第１のものであり、前記複数のサブバンドＣＱＩ値のうちの第２のものと、前記複数のサブバンドＣＱＩ値のうちの前記第１のものとを比較することにより、前記少なくとも１つの差分ＣＱＩ値を導出し、前記複数のサブバンドＣＱＩ値のうちの前記第２のものは、前記複数のバンド幅部分のうちの第２のものに対応する請求項１記載の方法。
【請求項７】
前記搬送波のサブセットのそれぞれに対するバンド幅部分の数を把握することをさらに含み、前記バンド幅部分の数の間で最大のものは、コンフィギュレーションパラメータとして採用可能である請求項６記載の方法。
【請求項８】
前記報告することは、異なる報告インスタンスにおいて、前記複数のバンド幅部分のそれぞれをサイクルさせることにより、前記基準ＣＱＩ値と、前記少なくとも１つの差分ＣＱＩ値とを報告することをさらに含む請求項６記載の方法。
【請求項９】
前記搬送波のサブセットのそれぞれに対するＣＱＩ値は、それぞれ、前記搬送波のサブセットのそれぞれに対するワイドバンドＣＱＩ値に対応し、前記識別することは、前記搬送波のサブセット間で最も高いワイドバンドＣＱＩ値を把握することをさらに含み、前記搬送波のサブセット間で最も高いワイドバンドＣＱＩ値に基づいて、前記基準搬送波を識別する請求項２記載の方法。
【請求項１０】
前記搬送波のサブセットは、前記基準搬送波とは異なる複数の非基準搬送波を含み、前記複数の非基準搬送波のそれぞれは、前記搬送波のサブセット間で前記最も高いワイドバンドＣＱＩ値と比較した対応する差分ＣＱＩ値を有し、前記報告することは、異なる報告インスタンスにおいて、複数の非基準搬送波のそれぞれをサイクルさせることにより、前記複数の非基準搬送波のそれぞれに対する前記対応する差分ＣＱＩ値を報告することをさらに含む請求項９記載の方法。
【請求項１１】
前記基準ＣＱＩ値は、第１の報告インスタンスにおける、前記基準搬送波に対する第１のワイドバンドＣＱＩ値であり、前記少なくとも１つの差分ＣＱＩ値は、第２の報告インスタンスにおける、前記基準搬送波に対する第２のワイドバンドＣＱＩ値である請求項２記載の方法。
【請求項１２】
前記搬送波のサブセットのそれぞれに対する複数のバンド幅部分を規定することにより、前記搬送波のサブセットのそれぞれに対する複数のサブバンドＣＱＩ値を把握することをさらに含み、前記基準ＣＱＩ値は、前記基準搬送波に対するワイドバンドＣＱＩ値であり、前記搬送波のサブセットのそれぞれに対する複数のサブバンドＣＱＩ値のそれぞれは、前記基準搬送波に対する前記ワイドバンドＣＱＩ値から導出した対応する差分ＣＱＩ値を有する請求項１記載の方法。
【請求項１３】
前記報告することは、異なる報告インスタンスにおいて、前記搬送波のサブセットのそれぞれに対する複数のバンド幅部分のそれぞれをサイクルさせることにより、前記搬送波のサブセットのそれぞれに対する複数のサブバンドＣＱＩ値のそれぞれに対する対応する差分ＣＱＩ値を報告することをさらに含む請求項１２記載の方法。
【請求項１４】
前記コンフィギュレーションデータセットは、特定の搬送波を識別するデータをさらに含み、前記識別することは、前記コンフィギュレーションデータセット中で識別した特定の搬送波として、前記基準搬送波を識別することをさらに含む請求項１記載の方法。
【請求項１５】
前記コンフィギュレーションデータセットは、前記基準搬送波の循環を識別するデータをさらに含み、前記識別することは、前記循環の関数として、前記基準搬送波を循環させることをさらに含む請求項１記載の方法。
【請求項１６】
前記循環は、第１のセットの報告インスタンスを報告するための第１の基準搬送波を識別し、前記搬送波のサブセットは、前記第１の基準搬送波とは異なる複数の非基準搬送波を含み、前記複数の非基準搬送波のそれぞれは、前記第１の基準搬送波に対応する第１の基準ＣＱＩ値からそれぞれ導出した対応する差分ＣＱＩ値を有し、前記報告することは、前記搬送波のサブセットにわたってサイクルさせることをさらに含み、前記報告することは、前記第１のセットの報告インスタンスの異なる報告インスタンスにおいて、前記複数の非基準搬送波のそれぞれをサイクルさせることにより、前記複数の非基準搬送波のそれぞれに対する対応する差分ＣＱＩ値を報告することをさらに含む請求項１５記載の方法。
【請求項１７】
前記報告することは、複数の報告インスタンスにわたって報告することをさらに含み、前記搬送波のサブセット内の少なくとも２つの異なる搬送波に対応するフィードバック情報を、前記複数の報告インスタンスのうちの少なくとも１つの間に報告する請求項１記載の方法。
【請求項１８】
前記報告することは、複数の報告インスタンスにわたって報告することをさらに含み、少なくとも２つの異なるサブバンドに対応するフィードバック情報を、前記複数の報告インスタンスのうちの少なくとも１つの間に報告する請求項１記載の方法。
【請求項１９】
前記コンフィギュレーションデータセットは、所望の報告シーケンスを識別するデータをさらに含み、前記報告することは、前記所望の報告シーケンスの関数として、前記基準ＣＱＩ値と、前記少なくとも１つの差分ＣＱＩ値とを報告することをさらに含む請求項１記載の方法。
【請求項２０】
前記コンフィギュレーションデータセットは、所望のＣＱＩ粒度を識別するデータをさらに含み、前記報告することは、前記所望のＣＱＩ粒度の関数として、前記基準ＣＱＩ値と、前記少なくとも１つの差分ＣＱＩ値とを報告することをさらに含む請求項１記載の方法。
【請求項２１】
前記コンフィギュレーションデータセットは、前記基準ＣＱＩ値または前記少なくとも１つの差分ＣＱＩ値のうちの少なくとも１つに対する所望のビット長の識別を含み、前記報告することは、前記所望のビット長に基づいて、前記基準ＣＱＩ値または前記少なくとも１つの差分ＣＱＩ値のうちの少なくとも１つを報告することをさらに含む請求項２０記載の方法。
【請求項２２】
前記報告することは、ランクインジケータ（ＲＩ）またはプリコーディング行列インジケータ（ＰＭＩ）のうちの少なくとも１つを報告することをさらに含む請求項１記載の方法。
【請求項２３】
ワイヤレス端末からのマルチ搬送波チャネル品質インジケータ（ＣＱＩ）フィードバックを促進する装置において、
メモリ中に記憶されているコンピュータ実行可能なコンポーネントを実行するように構成されているプロセッサを具備し、
前記コンポーネントは、
複数の搬送波を通して基地局から信号を受信するように構成されている受信コンポーネントと、
前記複数の搬送波中に含まれている搬送波のサブセットを監視し、搬送波のサブセットを前記基地局から受信したコンフィギュレーションデータセットの関数として識別するように構成されている監視コンポーネントと、
前記搬送波のサブセット内の基準搬送波を識別するように構成されている基準識別コンポーネントと、
前記基準搬送波に対応する基準ＣＱＩ値と、前記基準ＣＱＩ値から導出した少なくとも１つの差分ＣＱＩ値とを把握するように構成されているＣＱＩ処理コンポーネントと、
前記基準ＣＱＩ値と、前記少なくとも１つの差分ＣＱＩ値とを前記基地局に報告するように構成されている送信コンポーネントとを含む装置。
【請求項２４】
前記基準識別コンポーネントは、前記搬送波のサブセットのそれぞれに対するＣＱＩ値を把握するようにと、前記搬送波のサブセットのそれぞれに対する前記ＣＱＩ値を比較することにより、前記基準搬送波を識別するようにさらに構成されている請求項２３記載の装置。
【請求項２５】
前記基準識別コンポーネントは、前記搬送波のサブセット間で最も高いＣＱＩ値を有する搬送波を識別するようにと、前記搬送波のサブセット間で前記最も高いＣＱＩ値を有する搬送波として、前記基準搬送波を識別するようにさらに構成されている請求項２４記載の装置。
【請求項２６】
前記搬送波のサブセットは、前記基準搬送波とは異なる複数の非基準搬送波を含み、前記複数の非基準搬送波のそれぞれは、前記搬送波のサブセット間で前記最も高いＣＱＩ値と比較した対応する差分ＣＱＩ値を有し、前記送信コンポーネントは、異なる報告インスタンスにおいて、前記複数の非基準搬送波のそれぞれをサイクルさせることにより、前記複数の非基準搬送波のそれぞれに対する対応する差分ＣＱＩ値を報告するように構成されている請求項２５記載の装置。
【請求項２７】
前記送信コンポーネントは、複数の報告インスタンスのそれぞれにおいて、前記基地局に対する前記基準搬送波を識別するように構成されている請求項２５記載の装置。
【請求項２８】
前記ＣＱＩ処理コンポーネントは、前記搬送波のサブセットのうちの少なくとも１つに対する複数のバンド幅部分を規定することにより、前記搬送波のサブセットのうちの少なくとも１つに対する複数のサブバンドＣＱＩ値を把握するように構成され、前記基準ＣＱＩ値は、前記複数のバンド幅部分のうちの第１のものに対応する、前記複数のサブバンドＣＱＩ値のうちの第１のものであり、前記複数のサブバンドＣＱＩ値のうちの第２のものと、前記複数のサブバンドＣＱＩ値のうちの前記第１のものとを比較することにより、前記少なくとも１つの差分ＣＱＩ値を導出し、前記複数のサブバンドＣＱＩ値のうちの前記第２のものは、前記複数のバンド幅部分のうちの第２のものに対応する請求項２３記載の装置。
【請求項２９】
前記ＣＱＩ処理コンポーネントは、前記搬送波のサブセットのそれぞれに対するバンド幅部分の数を把握するように構成され、前記バンド幅部分の数の間で最大のものは、コンフィギュレーションパラメータとして採用可能である請求項２８記載の装置。
【請求項３０】
前記送信コンポーネントは、異なる報告インスタンスにおいて、前記複数のバンド幅部分のそれぞれをサイクルさせることにより、前記基準ＣＱＩ値と、前記少なくとも１つの差分ＣＱＩ値とを報告するように構成されている請求項２８記載の装置。
【請求項３１】
前記搬送波のサブセットのそれぞれに対するＣＱＩ値は、それぞれ、前記搬送波のサブセットのそれぞれに対するワイドバンドＣＱＩ値に対応し、前記ＣＱＩ処理コンポーネントは、前記搬送波のサブセット間で最も高いワイドバンドＣＱＩ値を把握するように構成され、前記基準識別コンポーネントは、前記搬送波のサブセット間で最も高いワイドバンドＣＱＩ値に基づいて、前記基準搬送波を識別するように構成されている請求項２４記載の装置。
【請求項３２】
前記搬送波のサブセットは、前記基準搬送波とは異なる複数の非基準搬送波を含み、前記複数の非基準搬送波のそれぞれは、前記搬送波のサブセット間で前記最も高いワイドバンドＣＱＩ値と比較した対応する差分ＣＱＩ値を有し、前記送信コンポーネントは、異なる報告インスタンスにおいて、複数の非基準搬送波のそれぞれをサイクルさせることにより、前記複数の非基準搬送波のそれぞれに対する前記対応する差分ＣＱＩ値を報告するように構成されている請求項３１記載の装置。
【請求項３３】
前記基準ＣＱＩ値は、第１の報告インスタンスにおける、前記基準搬送波に対する第１のワイドバンドＣＱＩ値であり、前記少なくとも１つの差分ＣＱＩ値は、第２の報告インスタンスにおける、前記基準搬送波に対する第２のワイドバンドＣＱＩ値である請求項２４記載の装置。
【請求項３４】
前記ＣＱＩ処理コンポーネントは、前記搬送波のサブセットのそれぞれに対する複数のバンド幅部分を規定することにより、前記搬送波のサブセットのそれぞれに対する複数のサブバンドＣＱＩ値を把握するように構成され、前記基準ＣＱＩ値は、前記基準搬送波に対するワイドバンドＣＱＩ値であり、前記搬送波のサブセットのそれぞれに対する複数のサブバンドＣＱＩ値のそれぞれは、前記基準搬送波に対する前記ワイドバンドＣＱＩ値から導出した対応する差分ＣＱＩ値を有する請求項２３記載の装置。
【請求項３５】
前記送信コンポーネントは、異なる報告インスタンスにおいて、前記搬送波のサブセットのそれぞれに対する複数のバンド幅部分のそれぞれをサイクルさせることにより、前記搬送波のサブセットのそれぞれに対する複数のサブバンドＣＱＩ値のそれぞれに対する対応する差分ＣＱＩ値を報告するように構成されている請求項３４記載の装置。
【請求項３６】
前記コンフィギュレーションデータセットは、特定の搬送波を識別するデータをさらに含み、前記基準識別コンポーネントは、前記コンフィギュレーションデータセット中で識別した特定の搬送波として、前記基準搬送波を識別するようにさらに構成されている請求項２３記載の装置。
【請求項３７】
前記コンフィギュレーションデータセットは、前記基準搬送波の循環を識別するデータをさらに含み、前記基準識別コンポーネントは、前記循環に基づいて、前記基準搬送波を識別するようにさらに構成されている請求項２３記載の装置。
【請求項３８】
前記循環は、第１のセットの報告インスタンスを報告するための第１の基準搬送波を識別し、前記搬送波のサブセットは、前記第１の基準搬送波とは異なる複数の非基準搬送波を含み、前記複数の非基準搬送波のそれぞれは、前記第１の基準搬送波に対応する第１の基準ＣＱＩ値からそれぞれ導出した対応する差分ＣＱＩ値を有し、前記報告することは、前記搬送波のサブセットにわたってサイクルさせることをさらに含み、前記送信コンポーネントは、前記第１のセットの報告インスタンスの異なる報告インスタンスにおいて、前記複数の非基準搬送波のそれぞれをサイクルさせることにより、前記複数の非基準搬送波のそれぞれに対する対応する差分ＣＱＩ値を報告するように構成されている請求項３７記載の装置。
【請求項３９】
前記送信コンポーネントは、複数の報告インスタンスにわたって報告するように構成され、前記搬送波のサブセット内の少なくとも２つの異なる搬送波に対応するフィードバック情報を、前記複数の報告インスタンスのうちの少なくとも１つの間に報告する請求項２３記載の装置。
【請求項４０】
前記送信コンポーネントは、複数の報告インスタンスにわたって報告するように構成され、少なくとも２つの異なるサブバンドに対応するフィードバック情報を、前記複数の報告インスタンスのうちの少なくとも１つの間に報告する請求項２３記載の装置。
【請求項４１】
前記コンフィギュレーションデータセットは、所望の報告シーケンスを識別するデータをさらに含み、前記送信コンポーネントは、前記所望の報告シーケンスに基づいて、前記基準ＣＱＩ値と、前記少なくとも１つの差分ＣＱＩ値とを送信するようにさらに構成されている請求項２３記載の装置。
【請求項４２】
前記コンフィギュレーションデータセットは、所望のＣＱＩ粒度を識別するデータをさらに含み、前記ＣＱＩ処理コンポーネントは、前記所望のＣＱＩ粒度に基づいて、前記基準ＣＱＩ値と、前記少なくとも１つの差分ＣＱＩ値とを把握するように構成されている請求項２３記載の装置。
【請求項４３】
前記コンフィギュレーションデータセットは、前記基準ＣＱＩ値または前記少なくとも１つの差分ＣＱＩ値のうちの少なくとも１つに対する所望のビット長の識別を含み、前記ＣＱＩ処理コンポーネントは、前記所望のビット長に基づいて、前記基準ＣＱＩ値または前記少なくとも１つの差分ＣＱＩ値のうちの少なくとも１つを把握するように構成されている請求項４２記載の装置。
【請求項４４】
前記送信コンポーネントは、ランクインジケータ（ＲＩ）またはプリコーディング行列インジケータ（ＰＭＩ）のうちの少なくとも１つを報告するように構成されている請求項２３記載の装置。
【請求項４５】
ワイヤレス端末からのマルチ搬送波チャネル品質インジケータ（ＣＱＩ）フィードバックを促進するコンピュータプログラムプロダクトにおいて、
複数の搬送波を通して基地局と通信するためと、
前記複数の搬送波中に含まれている搬送波のサブセットを識別するコンフィギュレーションデータセットを、前記基地局から受信するためと、
前記搬送波のサブセット内の基準搬送波を識別するためと、
前記基準搬送波に対応する基準ＣＱＩ値と、前記基準ＣＱＩ値から導出した少なくとも１つの差分ＣＱＩ値とを前記基地局に報告するためのコードを含むコンピュータ読取可能記憶媒体を具備するコンピュータプログラムプロダクト。
【請求項４６】
ワイヤレス端末からのマルチ搬送波チャネル品質インジケータ（ＣＱＩ）フィードバックを促進する装置において、
複数の搬送波を通して基地局と通信する手段と、
前記複数の搬送波中に含まれている搬送波のサブセットを識別するコンフィギュレーションデータセットを、前記基地局から受信する手段と、
前記搬送波のサブセット内の基準搬送波を識別する手段と、
前記基準搬送波に対応する基準ＣＱＩ値と、前記基準ＣＱＩ値から導出した少なくとも１つの差分ＣＱＩ値とを前記基地局に報告する手段とを具備する装置。
【請求項４７】
基地局からのマルチ搬送波チャネル品質インジケータ（ＣＱＩ）フィードバックを促進する方法において、
前記方法は、
プロセッサを用いて、
複数の搬送波を通してワイヤレス端末と通信するステップと、
前記複数の搬送波中に含まれている搬送波のサブセットを識別するコンフィギュレーションデータセットを発生させるステップと、
前記ワイヤレス端末に前記コンフィギュレーションデータセットを送信するステップと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するステップとを含む一連のステップを実現するように、コンピュータ読取可能記憶媒体上に記憶されているコンピュータ実行可能な命令を実行することを含む方法。
【請求項４８】
前記発生させることは、前記搬送波のサブセットのそれぞれに対するＣＱＩ値を把握するようにと、前記搬送波のサブセットのそれぞれに対する前記ＣＱＩ値の比較の関数として、前記基準搬送波を識別するように、前記ワイヤレス端末に指示する前記コンフィギュレーションデータセットを発生させることをさらに含む請求項４７記載の方法。
【請求項４９】
前記発生させることは、前記搬送波のサブセット間で最も高いＣＱＩ値を有する搬送波を識別するようにと、前記搬送波のサブセット間で最も高いＣＱＩ値を有する搬送波として、前記基準搬送波を識別するように、前記ワイヤレス端末に指示する前記コンフィギュレーションデータセットを発生させることをさらに含む請求項４８記載の方法。
【請求項５０】
前記発生させることは、前記コンフィギュレーションデータセットにより識別した特定の搬送波として、前記基準搬送波を識別するように、前記ワイヤレス端末に指示する前記コンフィギュレーションデータセットを発生させることをさらに含む請求項４７記載の方法。
【請求項５１】
前記発生させることは、前記コンフィギュレーションデータセットにより識別した前記基準搬送波の循環の関数として、前記基準搬送波を識別するように、前記ワイヤレス端末に指示する前記コンフィギュレーションデータセットを発生させることをさらに含む請求項４７記載の方法。
【請求項５２】
前記発生させることは、前記コンフィギュレーションデータセットにより識別した所望の報告シーケンスの関数として、前記基準ＣＱＩ値と、前記少なくとも１つの差分ＣＱＩ値とを報告するように、前記ワイヤレス端末に指示する前記コンフィギュレーションデータセットを発生させることをさらに含む請求項４７記載の方法。
【請求項５３】
前記発生させることは、前記コンフィギュレーションデータセットにより識別した所望のＣＱＩ粒度の関数として、前記基準ＣＱＩ値と、前記少なくとも１つの差分ＣＱＩ値とを報告するように、前記ワイヤレス端末に指示する前記コンフィギュレーションデータセットを発生させることをさらに含む請求項４７記載の方法。
【請求項５４】
前記発生させることは、前記基準ＣＱＩ値または前記少なくとも１つの差分ＣＱＩ値のうちの少なくとも１つに対する所望のビット長に基づいて、前記基準ＣＱＩ値または前記少なくとも１つの差分ＣＱＩ値のうちの少なくとも１つを報告するように、前記ワイヤレス端末に指示する前記コンフィギュレーションデータセットを発生させることをさらに含み、前記所望のビット長は、前記コンフィギュレーションデータセットにより識別する請求項５３記載の方法。
【請求項５５】
基地局からのマルチ搬送波チャネル品質インジケータ（ＣＱＩ）フィードバックを促進する装置において、
メモリ中に記憶されているコンピュータ実行可能なコンポーネントを実行するように構成されているプロセッサを具備し、
前記コンポーネントは、
複数の搬送波を通してのワイヤレス端末との通信を促進し、前記通信が、前記ワイヤレス端末へのコンフィギュレーションデータセットの送信を含むように構成されている通信コンポーネントと、
前記複数の搬送波中に含まれている搬送波のサブセットを識別する前記コンフィギュレーションデータセットを発生させるように構成されている発生コンポーネントと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するように構成されているＣＱＩ処理コンポーネントとを具備する装置。
【請求項５６】
前記発生コンポーネントは、前記搬送波のサブセットのそれぞれに対するＣＱＩ値を把握するようにと、前記搬送波のサブセットのそれぞれに対する前記ＣＱＩ値の比較の関数として、前記基準搬送波を識別するように、前記ワイヤレス端末に指示する前記コンフィギュレーションデータセットを発生させるようにさらに構成されている請求項５５記載の装置。
【請求項５７】
前記発生コンポーネントは、前記搬送波のサブセット間で最も高いＣＱＩ値を有する搬送波を識別するようにと、前記搬送波のサブセット間で最も高いＣＱＩ値を有する搬送波として、前記基準搬送波を識別するように、前記ワイヤレス端末に指示する前記コンフィギュレーションデータセットを発生させるようにさらに構成されている請求項５６記載の装置。
【請求項５８】
前記発生コンポーネントは、前記コンフィギュレーションデータセットにより識別した特定の搬送波として、前記基準搬送波を識別するように、前記ワイヤレス端末に指示する前記コンフィギュレーションデータセットを発生させるようにさらに構成されている請求項５５記載の装置。
【請求項５９】
前記発生コンポーネントは、前記コンフィギュレーションデータセットにより識別した前記基準搬送波の循環の関数として、前記基準搬送波を識別するように、前記ワイヤレス端末に指示する前記コンフィギュレーションデータセットを発生させるようにさらに構成されている請求項５５記載の装置。
【請求項６０】
前記発生コンポーネントは、前記コンフィギュレーションデータセットにより識別した所望の報告シーケンスの関数として、前記基準ＣＱＩ値と、前記少なくとも１つの差分ＣＱＩ値とを報告するように、前記ワイヤレス端末に指示する前記コンフィギュレーションデータセットを発生させるようにさらに構成されている請求項５５記載の装置。
【請求項６１】
前記発生コンポーネントは、前記コンフィギュレーションデータセットにより識別した所望のＣＱＩ粒度の関数として、前記基準ＣＱＩ値と、前記少なくとも１つの差分ＣＱＩ値とを報告するように、前記ワイヤレス端末に指示する前記コンフィギュレーションデータセットを発生させるようにさらに構成されている請求項５５記載の装置。
【請求項６２】
前記発生コンポーネントは、前記基準ＣＱＩ値または前記少なくとも１つの差分ＣＱＩ値のうちの少なくとも１つに対する所望のビット長に基づいて、前記基準ＣＱＩ値または前記少なくとも１つの差分ＣＱＩ値のうちの少なくとも１つを報告するように、前記ワイヤレス端末に指示する前記コンフィギュレーションデータセットを発生させるようにさらに構成され、前記所望のビット長は、前記コンフィギュレーションデータセットにより識別する請求項６１記載の装置。
【請求項６３】
基地局からのマルチ搬送波チャネル品質インジケータ（ＣＱＩ）フィードバックを促進するコンピュータプログラムプロダクトにおいて、
複数の搬送波を通してワイヤレス端末と通信するためと、
前記複数の搬送波中に含まれている搬送波のサブセットを識別するコンフィギュレーションデータセットを発生させるためと、
前記ワイヤレス端末に前記コンフィギュレーションデータセットを送信するためと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するためのコードを含むコンピュータ読取可能記憶媒体を具備するコンピュータプログラムプロダクト。
【請求項６４】
基地局からのマルチ搬送波チャネル品質インジケータ（ＣＱＩ）フィードバックを促進する装置において、
複数の搬送波を通してワイヤレス端末と通信する手段と、
前記複数の搬送波中に含まれている搬送波のサブセットを識別するコンフィギュレーションデータセットを発生させる手段と、
前記ワイヤレス端末に前記コンフィギュレーションデータセットを送信する手段と、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理する手段とを具備する装置。
【発明の詳細な説明】
【関連出願に対する相互参照】
【０００１】
本出願は、“アドバンストロングタームエボリューション（ＬＴＥ）システムのためのマルチ搬送波差分チャネル品質インジケータ（ＣＱＩ）フィードバック”と題し、２００９年５月４日に出願された、米国仮特許出願シリアル番号第６１／１７５，３９２号の利益を主張する。先述の出願のすべては、参照によりここに組み込まれている。
【背景】
【０００２】
Ｉ．分野
以下の説明は、一般的に、ワイヤレス通信に関し、さらに詳細には、マルチ搬送波ＣＱＩフィードバックを促進するための方法および装置に関する。
【０００３】
ＩＩ．背景
ワイヤレス通信システムは、音声、データ等のようなさまざまなタイプの通信コンテンツを提供するために、幅広く展開されている。これらのシステムは、利用可能なシステムリソース（例えば、バンド幅および送信電力）を共有することにより、複数のユーザとの通信をサポートすることが可能である多元接続システムであってもよい。このような多元接続システムの例には、コード分割多元接続（ＣＤＭＡ）システムと、時分割多元接続（ＴＤＭＡ）システムと、周波数分割多元接続（ＦＤＭＡ）システムと、３ＧＰＰロングタームエボリューション（ＬＴＥ）システムと、直交周波数分割多元接続（ＯＦＤＭＡ）システムとが含まれる。
【０００４】
一般的に、ワイヤレス多元接続通信システムは、複数のワイヤレス端末に対する通信を同時にサポートすることができる。各端末は、フォワードリンク上およびリバースリンク上の送信を通して、１つ以上の基地局と通信する。フォワードリンク（または、ダウンリンク）は、基地局から端末への通信リンクのことを指し、リバースリンク（または、アップリンク）は、端末から基地局への通信リンクのことを指す。この通信リンクは、単一入力単一出力、複数入力単一出力、または、複数入力複数出力（ＭＩＭＯ）のシステムを通して確立してもよい。
【０００５】
ＭＩＭＯシステムは、データ送信のために、複数（ＮT本）の送信アンテナと複数（ＮR本）の受信アンテナとを用いる。ＮT本の送信アンテナとＮR本の受信アンテナとにより形成されるＭＩＭＯチャネルは、ＮS個の独立したチャネルに分解することができ、これは、空間チャネルとしても呼ばれ、ここで、ＮS≦ｍｉｎ｛ＮT，ＮR｝である。ＮS個の独立したチャネルのそれぞれは、次元に対応する。ＭＩＭＯシステムは、複数の送信アンテナおよび受信アンテナにより生成される付加的な次元を利用する場合に、改善された性能（例えば、より高いスループットおよび／またはより大きな信頼性）を提供することができる。
【０００６】
ＭＩＭＯシステムは、時分割デュプレックス（ＴＤＤ）システムと周波数分割デュプレックス（ＦＤＤ）システムをサポートする。ＴＤＤシステムでは、相互関係原理により、リバースリンクチャネルからフォワードリンクチャネルの推定が可能になるように、フォワードリンク送信とリバースリンク送信は、同じ周波数領域上にある。これにより、アクセスポイントにおいて複数のアンテナが利用可能であるときに、アクセスポイントが、フォワードリンク上で、送信ビームフォーミング利得を抽出することが可能になる。
【０００７】
信頼性の高いワイヤレス通信システムを設計する際には、特定のデータ送信パラメータに対して特別な注意を払わなければならない。例えば、マルチ搬送波通信に関して、このような通信を促進する特定の搬送波の信号品質を知ることが望ましいだろう。しかしながら、各搬送波に対するチャネル品質インジケータ（ＣＱＩ）を速やかに提供するバンド幅コストは、所望のＣＱＩの数が増加するにつれて、許容できないものになる。したがって、マルチ搬送波ＣＱＩフィードバックを効率的に提供するための方法および装置を開発することが望ましいだろう。
【０００８】
現在のワイヤレス通信システムの上述の欠陥は、従来のシステムの問題のうちのいくつかの概略を提供することを意図しているに過ぎず、網羅的であることを意図していない。以下の説明をレビューすると、従来のシステムでの他の問題と、ここで説明する限定的でないさまざまな実施形態の対応する利益とがさらに明らかになる。
【概要】
【０００９】
以下のものは、このような実施形態の基本的な理解を提供するために、１つ以上の実施形態の簡略化した概要を提示する。この概要は、すべての考えられる実施形態の広範囲にわたる概略ではなく、すべての実施形態のキーエレメントまたは重要なエレメントを識別すること、あるいは、任意の実施形態またはすべての実施形態の範囲を詳細に述べることのどちらも意図していない。この唯一の目的は、後に提示するさらに詳細な説明に対する前置きとして、１つ以上の実施形態のうちのいくつかの概念を、簡略化した形態で提示することである。
【００１０】
１つ以上の実施形態および対応するそれらの開示にしたがって、マルチ搬送波チャネル品質インジケータ（ＣＱＩ）フィードバックを促進することに関連して、さまざまな態様を説明する。１つの態様では、ワイヤレス端末からのマルチ搬送波ＣＱＩフィードバックを促進するための方法、装置、および、コンピュータプログラムプロダクトが開示されている。このような実施形態内では、ワイヤレス端末は、複数の搬送波を通して基地局と通信する。基地局からコンフィギュレーションデータセットを受信し、コンフィギュレーションデータセットは、複数の搬送波中に含まれている搬送波のサブセットを識別する。ワイヤレス端末は、コンフィギュレーションデータセット中で提供される命令にしたがって、搬送波のサブセット内の基準搬送波を識別する。ワイヤレス端末はまた、基準ＣＱＩ値と、少なくとも１つの差分ＣＱＩ値とを基地局に報告する。基準ＣＱＩ値は基準搬送波に対応しているのに対し、少なくとも１つの差分ＣＱＩ値は、基準ＣＱＩ値から導出する。
【００１１】
さらなる態様では、ワイヤレス端末からのマルチ搬送波ＣＱＩフィードバックを促進する別の装置が開示されている。このような実施形態内では、複数の搬送波を通して基地局と通信する手段が提供されている。装置はまた、コンフィギュレーションデータセットが、複数の搬送波中に含まれている搬送波のサブセットを識別するように、基地局からコンフィギュレーションデータセットを受信する手段を具備している。搬送波のサブセット内の基準搬送波を識別する手段はまた、コンフィギュレーションデータセット中で提供される命令にしたがって提供される。装置はさらに、基準ＣＱＩ値と、少なくとも１つの差分ＣＱＩ値とを基地局に報告する手段を具備している。基準ＣＱＩ値が基準搬送波に対応しているのに対し、少なくとも１つの差分ＣＱＩ値は、基準ＣＱＩ値から導出する。
【００１２】
別の態様では、基地局からのマルチ搬送波ＣＱＩフィードバックを促進するための方法、装置、および、コンピュータプログラムプロダクトが開示されている。このような実施形態内では、基地局は、複数の搬送波を通してワイヤレス端末と通信する。基地局によりコンフィギュレーションデータセットが発生され、コンフィギュレーションデータセットは、複数の搬送波中に含まれている搬送波のサブセットを識別する。基地局は、ワイヤレス端末にコンフィギュレーションデータセットを送信し、ワイヤレス端末から受信したＣＱＩデータを処理する。ＣＱＩデータは、基準ＣＱＩ値と、少なくとも１つの差分ＣＱＩ値とを含む。基準ＣＱＩ値は、搬送波のサブセットに対する基準搬送波に対応しているのに対し、少なくとも１つの差分ＣＱＩ値は、基準ＣＱＩ値から導出する。
【００１３】
さらなる態様では、基地局からのマルチ搬送波ＣＱＩフィードバックを促進する別の装置が開示されている。このような実施形態内では、装置は、複数の搬送波を通してワイヤレス端末と通信する手段と、複数の搬送波中に含まれている搬送波のサブセットを識別するためのコンフィギュレーションデータセットを発生させる手段とを具備している。ワイヤレス端末から受信したＣＱＩデータを処理する手段とともに、ワイヤレス端末にコンフィギュレーションデータセットを送信する手段も提供されている。受信したＣＱＩデータは、基準ＣＱＩ値と、少なくとも１つの差分ＣＱＩ値とを含む。基準ＣＱＩ値は、搬送波のサブセットに対する基準搬送波に対応しているのに対し、少なくとも１つの差分ＣＱＩ値は、基準ＣＱＩ値から導出する。
【００１４】
先の目的および関連する目的を達成するために、１つ以上の実施形態は、後に完全に説明する特徴、および、特許請求の範囲中で特に指摘する特徴を含んでいる。以下の説明および添付図面により、１つ以上の実施形態のある例示的な態様を詳細に述べる。これらの態様は、さまざまな実施形態の原理を用いることができるさまざまな方法のうちのいくつかだけを示しているが、説明する実施形態は、このようなすべての態様およびそれらの均等物を含むことを意図している。
【図面の簡単な説明】
【００１５】
【図１】図１は、ここで述べるさまざまな態様にしたがった、ワイヤレス通信システムの例である。
【図２】図２は、ここで説明するさまざまなシステムおよび方法に関連して用いることができる例示的なワイヤレスネットワーク環境の例である。
【図３】図３は、いくつかの態様にしたがった、マルチ搬送波ＣＱＩフィードバックを促進するための例示的なシステムを示している。
【図４】図４は、主題的な明細書の態様にしたがった、マルチ搬送波ＣＱＩフィードバックを促進する例示的なワイヤレス端末のブロックダイヤグラムを示している。
【図５】図５は、ワイヤレス端末からのＣＱＩフィードバックの促進を実施する電気コンポーネントの例示的なカップリングの例である。
【図６】図６は、主題的な明細書の態様にしたがった、搬送波差分ＣＱＩ値に対する搬送波差分ＣＱＩオフセットレベルの例示的なマッピングである。
【図７】図７は、ＣＱＩ値の関数として選択した基準搬送波により、マルチ搬送波ＣＱＩフィードバックを促進するための例示的な方法論を示すフローチャートである。
【図８】図８は、いくつかの態様にしたがった、差分サブバンドＣＱＩ値を報告するための例示的なスキームを示すダイヤグラムである。
【図９】図９は、いくつかの態様にしたがった、ワイドバンドＣＱＩ値に関する差分値を報告するための例示的なスキームを示すダイヤグラムである。
【図１０】図１０は、予め定められた基準搬送波により、マルチ搬送波ＣＱＩフィードバックを促進するための例示的な方法論を示すフローチャートである。
【図１１】図１１は、主題的な明細書の態様にしたがった、マルチ搬送波ＣＱＩフィードバックを促進する例示的な基地局のブロックダイヤグラムを示している。
【図１２】図１２は、基地局からのマルチ搬送波ＣＱＩフィードバックの促進を実施する電気コンポーネントの例示的なカップリングの例である。
【図１３】図１３は、主題的な明細書の態様にしたがった、基地局からのマルチ搬送波ＣＱＩフィードバックを促進するための例示的な方法論を示すフローチャートである。
【図１４】図１４は、複数のセルを含むさまざまな態様にしたがって実現される例示的な通信システムの例である。
【図１５】図１５は、ここで説明するさまざまな態様にしたがった、例示的な基地局の例である。
【図１６】図１６は、ここで説明するさまざまな態様にしたがって実現される例示的なワイヤレス端末の例である。
【詳細な説明】
【００１６】
図面を参照して、ここでさまざまな実施形態を説明し、ここで、同一の参照番号は、全体を通して同一のエレメントのことを指すように使用する。以下の説明では、説明の目的のために、１つ以上の実施形態の完全な理解を提供するために、多くの特定の詳細を述べる。しかしながら、これらの特定の詳細なしに、このような実施形態を実施できることは明らかである。他のインスタンスでは、１つ以上の実施形態の説明を促進するために、よく知られている構造およびデバイスをブロックダイヤグラムの形態で示している。
【００１７】
ここで説明する技術を、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、高速パケットアクセス（ＨＳＰＡ）、および、他のシステムのような、さまざまなワイヤレス通信システムに対して使用することができる。用語“システム”および“ネットワーク”は、区別なく使用することが多い。ＣＤＭＡシステムは、ユニバーサル地上無線アクセス（ＵＴＲＡ）、ＣＤＭＡ２０００等のような、無線技術を実現することができる。ＵＴＲＡは、ワイドバンドＣＤＭＡ（Ｗ−ＣＤＭＡ）と、ＣＤＭＡの他の変形とを含んでいる。ＣＤＭＡ２０００は、ＩＳ−２０００、ＩＳ−９５、および、ＩＳ−８５６標準規格をカバーしている。ＴＤＭＡシステムは、グローバルシステムフォーモバイルコミュニケーション（ＧＳＭ（登録商標））のような、無線技術を実現することができる。ＯＦＤＭＡシステムは、エボルブドＵＴＲＡ（Ｅ−ＵＴＲＡ）や、ウルトラモバイルブロードバンド（ＵＭＢ）や、ＩＥＥＥ８０２．１１（ＷｉＦｉ（登録商標））や、ＩＥＥＥ８０２．１６（ＷｉＭＡＸ）や、ＩＥＥＥ８０２．２０や、フラッシュＯＦＤＭ等のような、無線技術を実現することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを用い、アップリンク上ではＳＣ−ＦＤＭＡを用いるＥ−ＵＴＲＡを使用するＵＭＴＳの来たるべきリリースである。
【００１８】
単一搬送波周波数分割多元接続（ＳＣ−ＦＤＭＡ）は、単一搬送波変調と周波数ドメイン等化とを利用する。ＳＣ−ＦＤＭＡは、ＯＦＤＭＡシステムのものと、類似する性能と、事実上同じ全体的な複雑さとを有している。ＳＣ−ＦＤＭＡ信号は、その固有の単一搬送波構造のために、より低いピーク対平均電力比（ＰＡＰＲ）を有している。ＳＣ−ＦＤＭＡは、例えば、送信電力効率性の観点から、より低いＰＡＰＲがアクセス端末に非常に利益をもたらすアップリンク通信において、使用することができる。したがって、３ＧＰＰロングタームエボリューション（ＬＴＥ）またはエボルブドＵＴＲＡにおけるアップリンク多元接続スキームとして、ＳＣ−ＦＤＭＡを実現することができる。
【００１９】
高速パケットアクセス（ＨＳＰＡ）は、高速ダウンリンクパケットアクセス（ＨＳＤＰＡ）技術と、高速アップリンクパケットアクセス（ＨＳＵＰＡ）または拡張アップリンク（ＥＵＬ）技術とを含むことができ、ＨＳＰＡ＋技術も含むことができる。ＨＳＤＰＡと、ＨＳＵＰＡと、ＨＳＰＡ＋は、それぞれ、第三世代パートナーシッププロジェクト（３ＧＰＰ）仕様のリリース５と、リリース６と、リリース７の一部である。
【００２０】
高速ダウンリンクパケットアクセス（ＨＳＤＰＡ）は、ネットワークからユーザ機器（ＵＥ）へのデータ送信を最適化する。ここで使用するように、ネットワークからユーザ機器ＵＥへの送信は、“ダウンリンク”（ＤＬ）として呼ぶことがある。送信方法は、数Ｍビット／秒のデータレートを可能にすることができる。高速ダウンリンクパケットアクセス（ＨＳＤＰＡ）は、移動体無線ネットワークの容量を増加させることができる。高速アップリンクパケットアクセス（ＨＳＵＰＡ）は、端末からネットワークへのデータ送信を最適化することができる。ここで使用するように、端末からネットワークへの送信は、“アップリンク”（ＵＬ）として呼ぶことがある。アップリンクデータ送信方法は、数Ｍビット／秒のデータレートを可能にすることができる。ＨＳＰＡ＋は、３ＧＰＰ仕様のリリース７中で特定されているように、アップリンクとダウンリンクの双方におけるさらなる改善さえも提供する。高速パケットアクセス（ＨＳＰＡ）方法は、典型的に、例えば、ボイスオーバーＩＰ（ＶｏＩＰ）と、テレビ会議と、モバイルオフィスアプリケーションとのような、大量のデータを送信するデータサービスにおいて、ダウンリンクとアップリンクとの間のより高速の対話を可能にする。
【００２１】
ハイブリッド自動反復要求（ＨＡＲＱ）のような、高速データ送信プロトコルは、アップリンク上とダウンリンク上とで使用することができる。ハイブリッド自動反復要求（ＨＡＲＱ）のような、このようなプロトコルにより、間違って受信したかもしれないパケットの再送信を受信者が自動的に要求することが可能になる。
【００２２】
アクセス端末に関連して、ここで、さまざまな実施形態を説明する。アクセス端末は、システム、加入者ユニット、加入者局、移動局、移動体、遠隔局、遠隔端末、移動体デバイス、ユーザ端末、端末、ワイヤレス通信デバイス、ユーザエージェント、ユーザデバイス、または、ユーザ機器（ＵＥ）と呼ぶこともできる。アクセス端末は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、または、ワイヤレスモデムに接続されている他の処理デバイスとすることができる。さらに、基地局に関連して、ここで、さまざまな実施形態を説明する。基地局は、アクセス端末と通信するために利用することができ、アクセスポイント、ノードＢ、エボルブドノードＢ（ｅノードＢ）、または、他の何らかの専門用語として呼ぶこともある。
【００２３】
ここで図１を参照すると、ここで提示するさまざまな実施形態にしたがった、ワイヤレス通信システム１００が示されている。システム１００は、複数のアンテナグループを含むことができる基地局１０２を含んでいる。例えば、１つのアンテナグループは、アンテナ１０４およびアンテナ１０６を含むことができ、別のグループは、アンテナ１０８およびアンテナ１１０を含むことができ、さらに他のグループは、アンテナ１１２およびアンテナ１１４を含むことができる。各アンテナグループに対して２つのアンテナが示されている；しかしながら、各アンテナグループに対して、より多いまたはより少ないアンテナを利用することができる。基地局１０２は、さらに、送信機チェーンと受信機チェーンとを具備し、そのそれぞれは、当業者により正しく認識されるように、さらに、信号の送受信に関係する複数のコンポーネント（例えば、プロセッサ、変調器、マルチプレクサ、復調器、デマルチプレクサ、アンテナ等）を備えることができる。
【００２４】
基地局１０２は、アクセス端末１１６およびアクセス端末１２２のような、１つ以上のアクセス端末と通信することができる；しかしながら、基地局１０２は、アクセス端末１１６とアクセス端末１２２とに類似する、実質的に任意の数のアクセス端末と通信できることを正しく認識すべきである。アクセス端末１１６とアクセス端末１２２は、例えば、セルラ電話機や、スマートフォンや、ラップトップや、ハンドヘルド通信デバイスや、ハンドヘルドコンピューティングデバイスや、衛星ラジオや、グローバルポジショニングシステムや、ＰＤＡや、および／または、ワイヤレス通信システム１００を通して通信する他の何らかの適切なデバイスとすることができる。示されているように、アクセス端末１１６は、アンテナ１１２およびアンテナ１１４と通信し、ここで、アンテナ１１２およびアンテナ１１４は、フォワードリンク１１８を通してアクセス端末１１６に情報を送信し、リバースリンク１２０を通してアクセス端末１１６から情報を受信する。さらに、アクセス端末１２２は、アンテナ１０４およびアンテナ１０６と通信し、ここで、アンテナ１０４およびアンテナ１０６は、フォワードリンク１２４を通してアクセス端末１２２に情報を送信し、リバースリンク１２６を通してアクセス端末１２２から情報を受信する。周波数分割デュプレックス（ＦＤＤ）システムにおいて、例えば、フォワードリンク１１８は、リバースリンク１２０により使用されるものとは異なる周波数バンドを利用することができ、フォワードリンク１２４は、リバースリンク１２６により用いられるものとは異なる周波数バンドを用いることができる。さらに、時分割デュプレックス（ＴＤＤ）システムにおいて、フォワードリンク１１８およびリバースリンク１２０は、共通の周波数バンドを利用することができ、フォワードリンク１２４およびリバースリンク１２６は、共通の周波数バンドを利用することができる。
【００２５】
各アンテナのグループをおよび／または各アンテナのグループが通信するように指定されているエリアを、基地局１０２のセクタとして呼ぶことがある。例えば、アンテナグループは、基地局１０２によりカバーされているエリアのセクタ中で、アクセス端末に通信するように設計することができる。フォワードリンク１１８およびフォワードリンク１２４を通しての通信では、基地局１０２の送信アンテナは、アクセス端末１１６とアクセス端末１２２とに対するフォワードリンク１１８およびフォワードリンク１２４の信号対ノイズ比を改善するために、ビームフォーミングを利用することができる。また、基地局１０２がビームフォーミングを利用して、関係するカバレッジ中にランダムに散らばっているアクセス端末１１６およびアクセス端末１２２に送信している間、隣接するセル中のアクセス端末は、単一のアンテナを通してそのすべてのアクセス端末に送信する基地局と比較して、より少ない干渉を受ける。
【００２６】
図２は、例示的なワイヤレス通信システム２００を示している。ワイヤレス通信システム２００は、簡潔さのために、１つの基地局２１０と１つのアクセス端末２５０とを示している。しかしながら、システム２００は、１つより多い基地局および／または１つより多いアクセス端末を含むことができ、ここで、付加的な基地局および／または付加的なアクセス端末は、下記で説明する例示的な基地局２１０およびアクセス端末２５０と、実質的に、類似していることがあり、あるいは、異なっていることがあることを正しく認識すべきである。加えて、基地局２１０および／またはアクセス端末２５０は、それらの間でのワイヤレス通信を促進するために、ここで説明するシステムならびに／あるいは方法を用いることができることを正しく認識すべきである。
【００２７】
基地局２１０において、多数のデータストリームに対するトラフィックデータが、データソース２１２から送信（ＴＸ）データプロセッサ２１４に提供される。例にしたがうと、各データストリームは、それぞれのアンテナを通して送信することができる。ＴＸデータプロセッサ２１４は、そのデータストリームに対して選択された特定のコーディングスキームに基づいて、トラフィックデータストリームをフォーマットし、コード化し、および、インターリーブし、コード化されたデータを提供する。
【００２８】
各データストリームに対するコード化されたデータは、直交周波数分割多重化（ＯＦＤＭ）技術を使用して、パイロットデータと多重化することができる。付加的にあるいは代替的に、パイロットシンボルは、周波数分割多重化（ＦＤＭ）でき、時分割多重化（ＴＤＭ）でき、または、コード分割多重化（ＣＤＭ）できる。パイロットデータは、典型的に、既知の方法で処理される既知のデータパターンであり、チャネル応答を推定するために、アクセス端末２５０において使用することができる。各データストリームに対する多重化されたパイロットおよびコード化データは、そのデータストリームに対して選択された特定の変調スキーム（例えば、二位相偏移変調（ＢＰＳＫ）、四位相偏移変調（ＱＰＳＫ）、Ｍ位相偏移変調（Ｍ−ＰＳＫ）、または、Ｍ直角位相振幅変調（Ｍ−ＱＡＭ）等）に基づいて、変調（例えば、シンボルマッピング）し、変調シンボルを提供することができる。各データストリームに対する、データレート、コーディング、および、変調は、プロセッサ２３０により実行または提供される命令により決定することができる。
【００２９】
データストリームに対する変調シンボルは、ＴＸ ＭＩＭＯプロセッサ２２０に提供することができ、ＴＸ ＭＩＭＯプロセッサ２２０は、（例えば、ＯＦＤＭのために）変調シンボルをさらに処理することができる。ＴＸ ＭＩＭＯプロセッサ２２０は、その後、ＮT個の変調シンボルストリームをＮT台の送信機（ＴＭＴＲ）２２２ａないし２２２ｔに提供する。さまざまな実施形態では、ＴＸ ＭＩＭＯプロセッサ２２０は、データストリームのシンボルと、そこからシンボルが送信されるアンテナとに対して、ビームフォーミングの重みを適用する。
【００３０】
各送信機２２２は、それぞれのシンボルストリームを受け取って処理し、１つ以上のアナログ信号を提供し、さらに、アナログ信号を調整して（例えば、増幅して、フィルタリングして、および、アップコンバートして）、ＭＩＭＯチャネルを通しての送信に適した変調された信号を提供する。さらに、送信機２２２ａないし２２２ｔからのＮT個の変調信号は、ＮT本のアンテナ２２４ａないし２２４ｔから、それぞれ送信される。
【００３１】
アクセス端末２５０において、ＮR本のアンテナ２５２ａないし２５２ｒにより、送信変調信号を受信し、各アンテナ２５２から受信した信号は、それぞれの受信機（ＲＣＶＲ）２５４ａないし２５４ｒに提供される。各受信機２５４は、それぞれの信号を調整し（例えば、フィルタリングし、増幅し、および、ダウンコンバートし）、調整した信号をデジタル化して、サンプルを提供し、さらに、サンプルを処理して、対応する“受信した”シンボルストリームを提供する。
【００３２】
ＲＸデータプロセッサ２６０は、特定の受信機処理技術に基づいて、ＮR台の受信機２５４からＮR個の受信したシンボルストリームを受け取って処理し、ＮT個の“検出した”シンボルストリームを提供することができる。ＲＸデータプロセッサ２６０は、各検出したシンボルストリームを復調し、デインターリーブし、および、デコードし、データストリームに対するトラフィックデータを復元することができる。ＲＸデータプロセッサ２６０による処理は、基地局２１０における、ＴＸ ＭＩＭＯプロセッサ２２０とＴＸデータプロセッサ２１４とにより実行される処理と相補的である。
【００３３】
上記で論じたように、プロセッサ２７０は、どの利用可能な技術を利用するかを周期的に決定することができる。さらに、プロセッサ２７０は、行列インデックス部分とランク値部分とを含むリバースリンクメッセージを構築することができる。
【００３４】
リバースリンクメッセージは、通信リンクにおよび／または受信したデータストリームに関する、さまざまなタイプの情報を含むことができる。リバースリンクメッセージは、データソース２３６から多数のデータストリームに対するトラフィックデータも受信するＴＸデータプロセッサ２３８により処理し、変調器２８０により変調し、送信機２５４ａないし２５４ｒにより調整し、基地局２１０に返信することができる。
【００３５】
基地局２１０において、アクセス端末２５０からの変調信号は、アクセス端末２５０により送信されたリバースリンクメッセージを抽出するために、アンテナ２２４により受信され、受信機２２２により調整され、復調器２４０により復調され、ＲＸデータプロセッサ２４２により処理される。さらに、プロセッサ２３０は、抽出したメッセージを処理し、ビームフォーミングの重みを決定するために、どのプリコーディング行列を使用するかを決定することができる。
【００３６】
プロセッサ２３０およびプロセッサ２７０は、それぞれ、基地局２１０における動作とアクセス端末２５０における動作とを指示する（例えば、制御する、調整する、管理する等）ことができる。それぞれのプロセッサ２３０およびプロセッサ２７０は、プログラムコードおよびデータを記憶するメモリ２３２およびメモリ２７２に関係付けることができる。プロセッサ２３０およびプロセッサ２７０は、アップリンクおよびダウンリンクに対する周波数応答推定とインパルス応答推定とをそれぞれ導出するための計算を実行することもできる。
【００３７】
次に図３を参照すると、いくつかの態様にしたがった、マルチ搬送波ＣＱＩフィードバックを促進するための例示的なシステムが提供されている。示されているように、システム３００は、ワイヤレス端末３２０とのＮ個の搬送波のマルチ搬送波通信に携わっている基地局３１０を含んでいる。ある態様では、ワイヤレス端末３２０は、共通する基準ＣＱＩ値に基づく差分ＣＱＩ値の形態で、基地局３１０にＣＱＩフィードバックを提供する。さらに、システム３００は、搬送波のサブセットのそれぞれに対する実際のＣＱＩ値を送るのではなく、単一の基準ＣＱＩ値に基づく差分ＣＱＩ値を送信することにより、バンド幅を著しく節約する。したがって、差分ＣＱＩフィードバックスキームを利用することにより、複数のダウンリンク搬送波に対するＣＱＩデータを、単一の報告インスタンスにおいて、基地局３１０に提供することができる。例えば、複数の報告インスタンスを通してフィードバックを報告してもよく、ここで、少なくとも２つの異なる搬送波におよび／または少なくとも２つの異なるサブバンドに対応するフィードバック情報を、単一の報告インスタンスにおいて同時に報告することができる。さらに、（実際のまたは差分の）ＣＱＩデータに加えて、ワイヤレス端末３２０により提供されるフィードバックがまた、ランクインジケータ（ＲＩ）および／またはプリコーディング行列インジケータ（ＰＭＩ）を含んでいてもよいことに留意すべきである。
【００３８】
図３において示されているように、基地局３１０は、ワイヤレス端末３２０にコンフィギュレーションデータを提供することにより、このような差分ＣＱＩフィードバックを促進する。コンフィギュレーションデータは、基地局３１０にＣＱＩフィードバックを報告するための所望のスキームを実現するための命令を提供する。例えば、コンフィギュレーションデータは、Ｍ個の搬送波（ここでは、Ｎ≧Ｍ）の特定のサブセットを監視するようにと、特定の搬送波を基準搬送波（例えば、最も高いＣＱＩ値を持つ搬送波）として識別するように、ワイヤレス端末に指示する命令を含んでいてもよい。
【００３９】
次に図４を参照すると、ワイヤレス通信環境中でマルチ搬送波ＣＱＩフィードバックを促進する例示的なワイヤレス端末のブロックダイヤグラムが提供されている。示されているように、ワイヤレス端末４００は、プロセッサコンポーネント４１０と、メモリコンポーネント４２０と、受信コンポーネント４３０と、監視コンポーネント４４０と、基準識別コンポーネント４５０と、ＣＱＩ処理コンポーネント４６０と、送信コンポーネント４７０とを備えていてもよい。
【００４０】
１つの態様では、プロセッサコンポーネント４１０は、複数の機能のうちの任意のものを実行することに関連するコンピュータ読取可能な命令を実行するように構成されている。プロセッサコンポーネント４１０は、ワイヤレス端末４００から通信されることになる情報を解析することに、ならびに／あるいは、メモリコンポーネント４２０、受信コンポーネント４３０、監視コンポーネント４４０、基準識別コンポーネント４５０、ＣＱＩ処理コンポーネント４６０、および／または、送信コンポーネント４７０により利用することができる情報を発生させることに専用の、単一のプロセッサまたは複数のプロセッサとすることができる。付加的にまたは代替的に、プロセッサコンポーネント４１０は、ワイヤレス端末４００の１つ以上のコンポーネントを制御するように構成されていてもよい。
【００４１】
別の態様では、メモリコンポーネント４２０は、プロセッサ４１０に結合されており、プロセッサコンポーネント４１０により実行されるコンピュータ読取可能な命令を記憶するように構成されている。メモリコンポーネント４２０はまた、受信コンポーネント４３０を通して受信したコンフィギュレーションデータを含む、複数の他のタイプのデータのうちの任意のものとともに、受信コンポーネント４３０、監視コンポーネント４４０、基準識別コンポーネント４５０、ＣＱＩ処理コンポーネント４６０、および／または、送信コンポーネント４７０のうちの任意のものにより発生されたデータを記憶するように構成されていてもよい。ランダムアクセスメモリや、バッテリーバックアップ式メモリや、ハードディスクや、磁気テープ等のようなものを含む、多数の異なるコンフィギュレーションで、メモリコンポーネント４２０を構成することができる。メモリコンポーネント４２０において、圧縮および自動バックアップ（例えば、独立したドライブコンフィギュレーションの冗長アレイの使用）のような、さまざまな特徴もまた実現することができる。
【００４２】
さらに別の態様では、受信コンポーネント４３０と送信コンポーネント４７０もまた、プロセッサコンポーネント４１０に結合されており、ワイヤレス端末４００を外部エンティティとインターフェースするように構成されている。例えば、受信コンポーネント４３０は、複数の搬送波のうちの任意のものを通して基地局から信号を受信するように構成されていてもよいのに対し（例えば、信号は、基地局から受信したコンフィギュレーションデータを含んでいてもよい）、送信コンポーネント４７０は、基準ＣＱＩ値と差分ＣＱＩ値のそれぞれを基地局に報告するように構成されていてもよい（例えば、送信コンポーネントは、コンフィギュレーションデータ中に含まれている所望の報告シーケンスの関数として、基準ＣＱＩ値を送信することと、差分ＣＱＩ値をサイクルさせることとを促進してもよい）。
【００４３】
いくつかの態様では、ワイヤレス端末４００はまた、監視コンポーネント４４０を備えていてもよく、監視コンポーネント４４０は、基地局から受信した信号を監視するように
構成されていてもよい。ある実施形態では、監視コンポーネント４４０は、信号により利用される搬送波の特定のサブセットを監視するように構成されていてもよく、ここで、基地局から受信したコンフィギュレーションデータの関数として、搬送波のサブセットを識別する。このような実施形態内では、搬送波のサブセットが、基準搬送波と、少なくとも１つの非基準搬送波とを含んでいてもよいことを正しく認識すべきである。
【００４４】
示されているように、ワイヤレス端末４００はさらに、基準識別コンポーネント４５０を備えていてもよく、基準識別コンポーネント４５０は、先述した搬送波のサブセット内の基準搬送波を識別するように構成されていてもよい。ここで、ワイヤレス端末４００中に予めプログラムされているアルゴリズムを、および／または、基地局から受信したコンフィギュレーションデータ中に含まれているアルゴリズムを含む複数の方法のうちの任意のものにしたがって、このような基準搬送波を識別してもよいことを正しく認識すべきである。例えば、基準識別コンポーネント４５０は、搬送波のサブセットのそれぞれに対するＣＱＩ値を把握するように構成されていてもよく、ここで、搬送波のサブセットのそれぞれに対するＣＱＩ値の比較の関数として、基準搬送波を識別する（例えば、搬送波のサブセット間で最も高いＣＱＩ値を持つ搬送波として、基準搬送波を識別することによる）。他の態様では、基準識別コンポーネント４５０は、コンフィギュレーションデータにより識別した特定の搬送波および／または搬送波の循環にしたがって、基準搬送波を識別するように構成されていてもよい。
【００４５】
別の態様では、ワイヤレス端末４００は、さらに、ＣＱＩ処理コンポーネント４６０を備えていてもよく、ＣＱＩ処理コンポーネント４６０は、基準ＣＱＩ値と、少なくとも１つの差分ＣＱＩ値とを把握するように構成されていてもよい。このような実施形態内では、基準ＣＱＩ値は、基準搬送波に対応しているのに対し、差分ＣＱＩ値のそれぞれは、基準搬送波ＣＱＩ値から導出する。ＣＱＩ処理コンポーネント４６０はまた、ワイドバンド／サブバンドのＣＱＩ値を把握するための複数の関数のうちの任意のものを実行するように構成されていてもよい。例えば、ＣＱＩ処理コンポーネント４６０は、各構成された搬送波に対するバンド幅部分を規定することにより、サブバンドＣＱＩ値を把握するように構成されていてもよい。
【００４６】
いくつかの実施形態に対しては、コンフィギュレーションデータは、所望のＣＱＩ粒度を識別するデータを含み、ここで、ＣＱＩ処理コンポーネント４６０は、所望のＣＱＩ粒度の関数として、基準ＣＱＩ値と差分ＣＱＩ値とを把握するように構成されていることにさらに留意すべきである。コンフィギュレーションデータはまた、基準ＣＱＩ値および／または差分ＣＱＩ値に対する所望のビット長を識別するデータを含んでいてもよく、ここで、ＣＱＩ処理コンポーネント４６０は、所望のビット長の関数として、基準ＣＱＩ値および／または差分ＣＱＩ値を把握するように構成されている。
【００４７】
図５を見ると、示されているのは、ワイヤレス通信環境中でマルチ搬送波ＣＱＩフィードバックを促進するシステム５００である。システム５００は、例えば、ワイヤレス端末内に存在することができる。示されているように、システム５００は、プロセッサにより、ソフトウェアにより、または、それらの組み合わせ（例えば、ファームウェア）により実現される機能を表すことができる機能ブロックを含んでいる。システム５００は、ともに動作することができる電気コンポーネントの論理グルーピング５０２を含んでいる。示されているように、論理グルーピング５０２は、複数の搬送波を通して、基地局と通信する電気コンポーネント５１０を含むことができる。論理グルーピング５０２はまた、複数の搬送波中に含まれている搬送波のサブセットを識別するコンフィギュレーションデータを、基地局から受信する電気コンポーネント５１２とともに、搬送波のサブセット内の基準搬送波を識別する電気コンポーネント５１４を備えることができる。さらに、論理グルーピング５０２は、基準搬送波に対応する基準ＣＱＩ値と、基準ＣＱＩ値から導出した少なくとも１つの差分ＣＱＩ値とを報告する電気コンポーネント５１６を備えることができる。付加的に、システム５００は、電気コンポーネント５１０、電気コンポーネント５１２、電気コンポーネント５１４、電気コンポーネント５１６、および、電気コンポーネント５１８に関係する機能を実行するための命令を保持するメモリ５２０を含むことができる。メモリ５２０の外部にあるものとして示されているが、電気コンポーネント５１０、電気コンポーネント５１２、電気コンポーネント５１４、電気コンポーネント５１６、および、電気コンポーネント５１８が、メモリ５２０内に存在することができることを理解すべきである。
【００４８】
特定の実施形態では、ワイヤレス端末は、最も高いＣＱＩ値を有する基準搬送波と比較した、ＣＱＩ差分フィードバックを提供し、最も高いＣＱＩ値は最高のスペクトル効率性に対する最良の精度を提供する。このような実施形態内では、ワイヤレス端末は、“最良の”搬送波のＣＱＩ値と、最良の搬送波のインデックスとを報告する。ある態様では、最良の搬送波インデックスの後に続く、予め定められた“ラップアラウンド”順序で、非基準搬送波に対するＣＱＩ値を報告する。ここで、このようなラップアラウンド順序は、ワイヤレス端末に提供されるコンフィギュレーションデータ中に含まれていてもよい。例えば、最良の搬送波インデックスが３であり、５個の構成された搬送波がある場合には、報告する順序は、搬送波3、搬送波4、搬送波5、搬送波1、そして、搬送波2である。
【００４９】
モードに依存して、コードワード当たりの空間多重化により、最良の搬送波報告を提供できることに留意すべきである。例えば、第１のコードワードは、４ビットであってもよく、最良の搬送波の実際のＣＱＩ値に対応していてもよいのに対し、各後続するコードワードは、３ビットであってもよく、最良の搬送波のＣＱＩ値と比較した差分ＣＱＩ値に対応していてもよい。ここで、ワイヤレス端末が、実際に、コードワード当たりのＣＱＩ値を報告する場合に、すべての搬送波にわたる単一のプリコーディング行列を有するスキームが、報告されることになる単一のプリコーディング行列インジケータを必要とするのに対し、各搬送波に対して単一のプリコーディング行列を有するスキームは、報告されることになる搬送波当たりのプリコーディング行列インジケータを必要とするだろうことにさらに留意すべきである。
【００５０】
いくつかの実施形態に対しては、搬送波差分ＣＱＩオフセットレベルを搬送波差分ＣＱＩ値にマッピングすることにより、マルチ搬送波フィードバックを促進する。例えば、このようなオフセットレベルは、最良の搬送波のインデックスと、残りの搬送波のそれぞれのインデックスとの間の差異に対応していてもよい。図６では、搬送波差分ＣＱＩ値に対する搬送波差分ＣＱＩオフセットレベルの例示的なマッピングが提供されている。この特定の実施形態に対して、所望の粒度に依存して、２ビットまたは３ビットのいずれかにより、搬送波差分ＣＱＩ値を報告してもよいことを正しく認識すべきである。
【００５１】
次に図７を参照すると、ＣＱＩ値の関数として選択された基準搬送波により、マルチ搬送波ＣＱＩフィードバックを促進するための例示的な方法論を示すフローチャートが提供されている。示されているように、プロセス７００は、ワイヤレス端末により実行されることがある一連のステップを含んでいる。例えば、プロセッサを用いて、コンピュータ読取可能記憶媒体上に記憶されている、一連のステップを実現するためのコンピュータ実行可能な命令を実行することにより、プロセス７００を実現してもよい。別の実施形態では、プロセス７００のステップを実現するためのコードを含むコンピュータ読取可能記憶媒体が企図されている。
【００５２】
ある態様では、ステップ７１０において、基地局とのマルチ搬送波通信を確立することにより、プロセス７００が開始する。次に、ステップ７２０において、基地局から受信したコンフィギュレーションデータで、ワイヤレス端末を構成する。ここで、このようなコンフィギュレーションデータは、複数の方法のうちの任意のものでマルチ搬送波ＣＱＩフィードバックを促進するようにワイヤレス端末に指示する命令を含んでいてもよいことを正しく認識すべきである。例えば、ステップ７３０において、ワイヤレス端末が、受信したコンフィギュレーションデータにより特定されている搬送波の特定のサブセットを監視することにより、プロセス７００が進んでもよい。その後、ステップ７４０において、ワイヤレス端末は、ステップ７３０において監視している搬送波のサブセットのそれぞれに対するＣＱＩ値を把握することができる。
【００５３】
搬送波のサブセットのそれぞれに対するＣＱＩ値を把握すると、複数の方法のうちの任意のものを使用して、把握したＣＱＩ値に基づいて、適切な基準搬送波を選択してもよいことを正しく認識すべきである。この特定の実施形態に対して、ステップ７５０における、最も高いＣＱＩ値を持つ搬送波の識別により、プロセス７００が進む。次に、ステップ７６０において、最も高いＣＱＩ値を有するものとして識別した搬送波であるように、基準搬送波を割り当てる。その後、ステップ７７０において、監視している搬送波のサブセット中の残りの搬送波のそれぞれに対して、基準搬送波と比較した差分ＣＱＩ値を計算する。
【００５４】
いったん、差分ＣＱＩ値を計算すると、その後、ステップ７８０において、ＣＱＩデータを基地局に報告し、その後に、コンフィギュレーションデータ中で識別した搬送波のサブセットを監視し続けるステップ７３０にプロセス７００がループバックすることが続く。いくつかの実施形態に対して、コンフィギュレーションデータにより提供される命令にしたがって、ＣＱＩデータを報告することに留意すべきである。例えば、コンフィギュレーションデータは、所望の報告シーケンスを識別するデータを含んでいてもよく、ここで、ワイヤレス端末は、基準ＣＱＩ値と、差分ＣＱＩ値とを、所望の報告シーケンスの関数として報告する。別の実施形態では、コンフィギュレーションデータは、所望のＣＱＩ粒度を識別するデータ（例えば、基準ＣＱＩ値および／または差分ＣＱＩ値に対する所望のビット長を識別するデータ）を含み、ここで、ワイヤレス端末は、基準ＣＱＩ値と、差分ＣＱＩ値とを、所望のＣＱＩ粒度の関数として報告する。
【００５５】
ある態様では、最良の搬送波のＣＱＩ値と、残りの構成された搬送波の差分ＣＱＩ値とのいずれも、搬送波当たりの特定のワイドバンドＣＱＩ、または、搬送波当たりのサブバンドＣＱＩに対応する。サブバンドＣＱＩ値に対しては、搬送波バンド幅に依存して、複数のバンド幅部分を各搬送波に対して規定し、複数のバンド幅部分はそれぞれ、複数のサブバンドＣＱＩ値に対応する。例えば、ある態様では、複数の非基準搬送波のそれぞれは、基準ＣＱＩ値（例えば、搬送波のサブセット間で最も高いワイドバンドＣＱＩ値）と比較した対応する差分ＣＱＩ値を有し、ここで、各ダウンリンク搬送波に対するバンド幅部分の数の間で最大のものは、コンフィギュレーションパラメータとして採用可能である。このような実施形態内では、ワイヤレス端末は、異なる報告インスタンスにおいて、各バンド幅部分をサイクルさせ、ここで、報告インスタンスごとに、各構成された搬送波に対する１つのバンド幅部分を報告する。図８では、各サブバンドＣＱＩ値を報告するための例示的なスキームを示すダイヤグラムが提供されている。
【００５６】
いくつかの実施形態に対して、最良の搬送波ＣＱＩ値に関する差分ＣＱＩ値を報告するのではなく、ワイドバンドＣＱＩ値に関する差分ＣＱＩ値を報告する。ここで、搬送波にわたって合同でＭＣＳ選択を実行するのではなく、搬送波ごとにＭＣＳ選択を実行する場合に、すべての構成された搬送波にわたるワイドバンドＣＱＩ値は冗長であることに留意すべきである。搬送波当たりのワイドバンドＣＱＩ報告を規定することもでき、対応する搬送波ワイドバンドＣＱＩ報告に関する差分ＣＱＩ報告を提供することができる。ワイドバンドＣＱＩ値に関する差分値を報告するときに、特定の搬送波に対応する１つの差分ＣＱＩ値が、各報告間隔中で報告される。このような実施形態内では、完全なＣＱＩ報告が周期的に送られ、それらの間には、（ワイドバンドまたはサブバンドの）搬送波当たりの差分ＣＱＩ値が報告される。例えば、第１の報告インスタンスにおいて、第１の基準搬送波に対応する第１のワイドバンドＣＱＩ値を報告してもよく、その後に、第２の報告インスタンスにおいて、第２の基準搬送波に対応する第２のワイドバンドＣＱＩ値の報告が続いてもよく、ここで、一連の差分ＣＱＩ値を、その間に報告してもよい。図９では、ワイドバンドＣＱＩ値に関する差分値を報告するための例示的なスキームを示すダイヤグラムが提供されている。
【００５７】
次に図１０を参照すると、予め定められた基準搬送波によりマルチ搬送波ＣＱＩフィードバックを促進するための例示的な方法論を示すフローチャートが提供されている。示されているように、プロセス１０００は、ワイヤレス端末により実行されることがある一連のステップを含んでいる。例えば、プロセッサを用いて、コンピュータ読取可能記憶媒体上に記憶されている、一連のステップを実現するためのコンピュータ実行可能な命令を実行することにより、プロセス１０００を実現してもよい。別の実施形態では、プロセス１０００のステップを実現するためのコードを含むコンピュータ読取可能記憶媒体が企図されている。
【００５８】
ある態様では、ステップ１０１０において、基地局とのマルチ搬送波通信を確立することにより、プロセス１０００が開始する。次に、ステップ１０２０において、基地局から受信したコンフィギュレーションデータで、ワイヤレス端末を構成する。この特定の実施形態に対して、コンフィギュレーションデータは、ステップ１０３０において予め定められた基準搬送波を選択するための命令を含んでいる。例えば、コンフィギュレーションデータは、特定の基準搬送波と比較した差分ＣＱＩ値を計算するようにワイヤレス端末に命令してもよく、ここでは、各報告間隔に対して同じ基準搬送波を使用する。別の実施形態では、コンフィギュレーションデータは、基準搬送波の循環を識別し、ここでは、各報告間隔に対する基準搬送波は、循環にしたがって変化する。最も高いＣＱＩ値を持つ搬送波として、基準搬送波を識別することもでき、ここで、基準搬送波の識別は、各報告間隔において基地局に報告される。
【００５９】
ステップ１０４０において、ワイヤレス端末が、受信したコンフィギュレーションデータにより特定されている搬送波の特定のサブセットを監視することにより、プロセス１０００が進む。その後、ステップ１０５０において、ワイヤレス端末は、ステップ１０４０において監視している搬送波のサブセットのそれぞれに対するＣＱＩ値を把握してもよい。その後、ステップ１０６０において、監視している搬送波のサブセット中の非基準搬送波のそれぞれに対して、基準搬送波と比較した差分ＣＱＩ値を計算する。
【００６０】
いったん、差分ＣＱＩ値を計算すると、その後、ステップ１０７０において、基地局にＣＱＩフィードバックを提供してもよい。プロセス７００に関して以前に述べたように、コンフィギュレーションデータによって提供される命令にしたがって、ＣＱＩデータを報告してもよい。例えば、コンフィギュレーションデータは、所望の報告シーケンスを識別するデータを含んでいてもよく、ここで、ワイヤレス端末は、基準ＣＱＩ値と、差分ＣＱＩ値とを、所望の報告シーケンスの関数として報告する。別の実施形態では、コンフィギュレーションデータは、所望のＣＱＩ粒度を識別するデータ（例えば、基準ＣＱＩ値および／または差分ＣＱＩ値に対する所望のビット長を識別するデータ）を含んでおり、ここで、ワイヤレス端末は、基準ＣＱＩ値と、差分ＣＱＩ値とを、所望のＣＱＩ粒度の関数として報告する。さらに別の実施形態では、コンフィギュレーションデータは、基準搬送波を循環させるための命令を含み、ここで、第１の組の報告インスタンスを報告するための第１の基準ＣＱＩ値を把握するように、ワイヤレス端末に最初に命令してもよい。
【００６１】
各報告間隔の後で、プロセス１０００は、ステップ１０８０へと続き、ステップ１０８０では、基準搬送波を循環させるか否かの決定がなされる。基準搬送波を循環させるように決定がなされた場合に、プロセス１０００は、ステップ１０３０にループバックし、ステップ１０３０では、新しい基準搬送波が割り当てられる。そうではなく、循環が望まれていない場合には、現在の基準搬送波が保持され、プロセスは、ステップ１０４０における搬送波の監視にループバックする。基地局から受信した特定のコンフィギュレーションデータに依存して、ステップ１０８０において実行される決定が変化することがあることに留意すべきである。例えば、各報告間隔に対して同じ基準搬送波を利用するようにワイヤレス端末が構成されている場合に、循環は起こらないかもしれない。他の実施形態では、循環スキームを実現する場合でさえ（例えば、このような循環が、有限数の報告間隔の後に起こることを、および／または、このような循環が、把握したＣＱＩ値に部分的に基づいていることを、スキームが求めている場合には）、特定のトリガの未発生により、循環が起こらないことがある。
【００６２】
次に図１１を参照すると、ワイヤレス通信環境においてマルチ搬送波ＣＱＩフィードバックを促進する例示的な基地局のブロックダイヤグラムが提供されている。示されているように、基地局１１００は、プロセッサコンポーネント１１１０と、メモリコンポーネント１１２０と、通信コンポーネント１１３０と、発生コンポーネント１１４０と、ＣＱＩ処理コンポーネント１１５０とを備えていてもよい。
【００６３】
１つの態様では、プロセッサコンポーネント１１１０は、複数の機能のうちの任意のものを実行することに関連するコンピュータ読取可能な命令を実行するように構成されている。プロセッサコンポーネント１１１０は、基地局１１００から通信されることになる情報を解析することに、ならびに／あるいは、メモリコンポーネント１１２０や、通信コンポーネント１１３０や、発生コンポーネント１１４０や、および／または、ＣＱＩ処理コンポーネント１１５０により利用することができる情報を発生させることに専用の、単一のプロセッサまたは複数のプロセッサとすることができる。付加的にまたは代替的に、プロセッサコンポーネント１１１０は、基地局１１００の１つ以上のコンポーネントを制御するように構成されていてもよい。
【００６４】
別の態様では、メモリコンポーネント１１２０は、プロセッサコンポーネント１１１０に結合されており、プロセッサコンポーネント１１１０により実行されるコンピュータ読取可能な命令を記憶するように構成されている。メモリコンポーネント１１２０はまた、通信コンポーネント１１３０、発生コンポーネント１１４０、および／または、ＣＱＩ処理コンポーネント１１５０のうちの任意のものにより発生されたデータを含む複数の他のタイプのデータのうちの任意のものを記憶するように構成されていてもよい。ランダムアクセスメモリや、バッテリーバックアップ式メモリや、ハードディスクや、磁気テープ等のようなものを含む、多数の異なるコンフィギュレーションで、メモリコンポーネント１１２０を構成することができる。メモリコンポーネント１１２０において、圧縮および自動バックアップ（例えば、独立したドライブコンフィギュレーションの冗長アレイの使用）のような、さまざまな特徴もまた実現することができる。
【００６５】
さらに別の態様では、通信コンポーネント１１３０もまた、プロセッサコンポーネント１１１０に結合されており、基地局１１００を外部エンティティとインターフェースするように構成されている。例えば、通信コンポーネント１１３０は、複数の搬送波を通してのワイヤレス端末との通信を促進するように構成されていてもよい。ある実施形態では、通信は、ワイヤレス端末にコンフィギュレーションデータを送信することと、ワイヤレス端末からＣＱＩデータを受信することとを含んでいる。
【００６６】
示されているように、基地局１１００は、さらに、発生コンポーネント１１４０を備えていてもよく、発生コンポーネント１１４０は、コンフィギュレーションデータを発生させるように構成されていてもよい。ここで、発生コンポーネント１１４０は、ワイヤレス端末に対する複数の命令のうちの任意のものを含むようにコンフィギュレーションデータを発生させることができることを正しく認識すべきである。例えば、ワイヤレス端末が監視するための搬送波のサブセットを識別するための命令とともに、搬送波のサブセット間で基準搬送波を識別するための命令を提供してもよい。１つの態様では、コンフィギュレーションデータは、搬送波のサブセットのそれぞれに対するＣＱＩ値を把握するようにと、搬送波のサブセットのそれぞれに対するＣＱＩ値の比較の関数として、基準搬送波を識別するように、ワイヤレス端末に指示する（例えば、最も高いＣＱＩ値を持つ搬送波を、基準搬送波として識別するようにワイヤレス端末に指示する）ための命令を含んでいる。しかしながら、他の態様では、コンフィギュレーションデータは、単に、特定の搬送波を基準搬送波として識別するように、および／または、コンフィギュレーションデータにより識別した基準搬送波の循環にしたがって基準搬送波を識別するように、ワイヤレス端末に指示してもよい。
【００６７】
いくつかの実施形態に対して、発生コンポーネント１１４０はまた、ワイヤレス端末からのＣＱＩデータを報告するための命令を、コンフィギュレーションデータに埋め込んでもよい。例えば、コンフィギュレーションデータにより識別した所望の報告シーケンスの関数として、ＣＱＩ値（例えば、基準ＣＱＩ値および差分ＣＱＩ値）を報告するようにワイヤレス端末に指示する命令を、コンフィギュレーションデータに埋め込んでもよい。１つの実施形態では、コンフィギュレーションデータにより識別した所望のＣＱＩ粒度の関数として、ＣＱＩ値（例えば、基準ＣＱＩ値および差分ＣＱＩ値）を報告するようにワイヤレス端末に指示する命令を含むように、コンフィギュレーションデータを発生させてもよい。このような所望のＣＱＩ粒度を促進するために、コンフィギュレーションデータにより識別した所望のビット長（例えば、基準ＣＱＩ値におよび／または差分ＣＱＩ値のうちの任意のものに対する所望のビット長）の関数として、ＣＱＩ値（例えば、基準ＣＱＩ値および／または差分ＣＱＩ値）を報告するようにワイヤレス端末に指示する命令を含むように、コンフィギュレーションデータを発生させてもよい。
【００６８】
別の態様では、基地局１１００は、さらに、ＣＱＩ処理コンポーネント１１５０を備えていてもよい。ここでは、複数の方法のうちの任意のもので、ワイヤレス端末から受信したＣＱＩデータを処理するように、ＣＱＩ処理コンポーネント１１５０を構成してもよいことを正しく認識すべきである。例えば、基地局１１００は、いくつかのワイヤレス端末のうちの任意のものからＣＱＩデータを受信することができるので、ＣＱＩ処理コンポーネント１１５０は、さまざまなワイヤレス端末間を区別する識別スキームにしたがって、ＣＱＩデータを処理するように構成されていてもよい。実際には、基地局１１００は、（例えば、異なる組のサブ搬送波を監視するようにワイヤレス端末に命令するコンフィギュレーションデータを提供することにより、）さまざまなワイヤレス端末を異なって構成してもよいので、ＣＱＩ処理コンポーネント１１５０は、そのワイヤレス端末に対応する一意的なコンフィギュレーションデータにしたがって特定のワイヤレス端末から受信したＣＱＩデータを処理するように構成されていてもよい。
【００６９】
次に図１２を参照すると、示されているのは、ワイヤレス通信環境においてマルチ搬送波ＣＱＩフィードバックを促進するシステム１２００である。システム１２００は、例えば、基地局内に存在することができ、ここで、システム１２００は、プロセッサにより、ソフトウェアにより、または、それらの組み合わせ（例えば、ファームウェア）により実現される機能を表すことができる機能ブロックを含んでいる。さらに、システム１２００は、システム５００中の論理グルーピング５０２に類似する、ともに動作することができる電気コンポーネントの論理グルーピング１２０２を含んでいる。示されているように、論理グルーピング１２０２は、複数の搬送波を通して、ワイヤレス端末と通信する電気コンポーネント１２１０を備えることができる。論理グルーピング１２０２はまた、複数の搬送波中に含まれている搬送波のサブセットを識別するコンフィギュレーションデータを発生させる電気コンポーネント１２１２とともに、ワイヤレス端末にコンフィギュレーションデータを送信する電気コンポーネント１２１４を備えることができる。さらに、論理グルーピング１２０２は、基準搬送波に対応する基準ＣＱＩ値と、基準ＣＱＩ値から導出した差分ＣＱＩ値とを含む、ワイヤレス端末から受信したＣＱＩデータを処理する電気コンポーネント１２１６を備えることができる。付加的に、システム１２００は、電気コンポーネント１２１０、電気コンポーネント１２１２、電気コンポーネント１２１４、および、電気コンポーネント１２１６に関係する機能を実行するための命令を保持するメモリ１２２０を含むことができる。メモリ１２２０の外部にあるものとして示されているが、電気コンポーネント１２１０、電気コンポーネント１２１２、電気コンポーネント１２１４、および、電気コンポーネント１２１６が、メモリ１２２０内に存在することができることを理解すべきである。
【００７０】
次に図１３を参照すると、基地局からのマルチ搬送波ＣＱＩフィードバックを促進するための例示的な方法論を示すフローチャートが提供されている。示されているように、プロセス１３００は、基地局により実行されることがある一連のステップを含んでいる。例えば、プロセッサを用いて、コンピュータ読取可能記憶媒体上に記憶されている、一連のステップを実現するためのコンピュータ実行可能な命令を実行することにより、プロセス１３００を実現してもよい。別の実施形態では、プロセス１３００のステップを実現するためのコードを含むコンピュータ読取可能記憶媒体が企図されている。
【００７１】
ある態様では、ステップ１３１０において、ワイヤレス端末とのマルチ搬送波通信を確立することにより、プロセス１３００が開始する。次に、ステップ１３２０において、基地局は、ワイヤレス端末に監視させるように指示する搬送波の特定のサブセットを把握する。プロセス１３００は、その後、ステップ１３３０へと続き、ステップ１３３０では、基地局が、搬送波のサブセットを監視するための所望のスキームを把握する。基地局は、その後、ステップ１３４０において、コンフィギュレーションデータを発生させ、これは、所望の監視スキームをエンコードし、搬送波のサブセットを識別する。いったん発生させると、ステップ１３５０において、後続して、ワイヤレス端末にコンフィギュレーションデータを送信する。
【００７２】
さまざまな実施形態では、ステップ１３４０において発生されたコンフィギュレーションデータは、複数の方法のうちの任意のもので、搬送波の識別したサブセットを監視するための命令を含んでいてもよい。例えば、コンフィギュレーションデータは、各搬送波ＣＱＩ値の関数として、（例えば、特定のＣＱＩ値を比較することにより、最も高いＣＱＩ値を持つ搬送波を識別することによる等して、）基準搬送波を選択するための命令や、および／または、（例えば、各報告間隔に対して同じ基準搬送波を使用して、報告サイクルの関数として基準搬送波を循環させる等して、）予め定められた基準搬送波を選択するための命令を含んでいてもよい。コンフィギュレーションデータはまた、所望の報告シーケンスにしたがってＣＱＩ値を報告する（例えば、所望の報告シーケンスの関数として、基準ＣＱＩ値および差分ＣＱＩ値を報告する）ための命令を、および／または、所望のＣＱＩ粒度にしたがってＣＱＩ値を報告する（例えば、基準ＣＱＩ値および／または差分ＣＱＩ値に対する所望のビット長にしたがって、ＣＱＩ値を報告する）ための命令を含んでいてもよい。
【００７３】
ステップ１３５０においてコンフィギュレーションデータを送信した後に、プロセス１３００は、ステップ１３６０において、基地局がワイヤレス端末からＣＱＩデータを受信すること、そして、後続して、ステップ１３７０において、ＣＱＩデータを処理することが続く。ここで、基地局は、ワイヤレス端末を異なって構成してもよいことから、ステップ１３７０におけるＣＱＩデータの処理がさらに、ＣＱＩフィードバックを提供するワイヤレス端末の特定のコンフィギュレーションの識別を必要とするかもしれないことを正しく認識すべきである。
【００７４】
次に図１４を参照すると、複数のセル：セルＩ １４０２、セルＭ １４０４を含む、さまざまな態様にしたがって実現される例示的な通信システム１４００が提供されている。ここで、隣接するセル１４０２、１４０４は、セル境界領域１４６８により示されているように、わずかにオーバーラップしており、それにより、隣接するセル中の基地局により送信される信号間の信号干渉に対する可能性を生成させることに留意すべきである。システム１４００の各セル１４０２、１４０４は、３つのセクタを含んでいる。さまざまな態様にしたがうと、複数のセクタに再分割されていない（Ｎ＝１）セルと、２つのセクタを持つ（Ｎ＝２）セルと、３つより多いセクタを持つ（Ｎ＞３）セルもまた、ありえる。セル１４０２は、第１のセクタ、セクタＩ １４１０と、第２のセクタ、セクタＩＩ １４１２と、第３のセクタ、セクタＩＩＩ １４１４とを含んでいる。各セクタ１４１０、１４１２、および、１４１４は、２つのセクタ境界領域を有している；それぞれの境界領域は、２つの隣り合うセクタ間で共有されている。
【００７５】
セクタ境界領域は、隣接するセクタ中の基地局により送信された信号間の信号干渉に対する可能性を提供する。線１４１６は、セクタＩ １４１０とセクタＩＩ １４１２との間のセクタ境界領域を表し；線１４１８は、セクタＩＩ １４１２とセクタＩＩＩ １４１４との間のセクタ境界領域を表し；線１４２０は、セクタＩＩＩ １４１４とセクタＩ １４１０との間のセクタ境界領域を表す。同様に、セルＭ １４０４は、第１のセクタ、セクタＩ １４２２と、第２のセクタ、セクタＩＩ １４２４と、第３のセクタ、セクタＩＩＩ １４２６とを含んでいる。線１４２８は、セクタＩ １４２２とセクタＩＩ １４２４との間のセクタ境界領域を表し；線１４３０は、セクタＩＩ １４２４とセクタＩＩＩ １４２６との間のセクタ境界領域を表し；線１４３２は、セクタＩＩＩ １４２６とセクタＩ １４２２との間の境界領域を表す。セルＩ １４０２は、基地局（ＢＳ）、基地局Ｉ １４０６と、各セクタ１４１０中、１４１２中、１４１４中の複数のエンドノード（ＥＮ）とを含んでいる。セクタＩ １４１０は、それぞれワイヤレスリンク１４４０、１４４２を通してＢＳ１４０６に結合されている、ＥＮ（１）１４３６およびＥＮ（Ｘ）１４３８を含み；セクタＩＩ １４１２は、それぞれワイヤレスリンク１４４８、１４５０を通してＢＳ１４０６に結合されている、ＥＮ（１’）１４４４およびＥＮ（Ｘ’）１４４６を含み；セクタＩＩＩ １４１４は、それぞれワイヤレスリンク１４５６、１４５８を通してＢＳ１４０６に結合されている、ＥＮ（１’’）１４５２およびＥＮ（Ｘ’’）１４５４を含んでいる。同様に、セルＭ １４０４は、基地局Ｍ １４０８と、各セクタ１４２２中、１４２４中、および、１４２６中の複数のエンドノード（ＥＮ）とを含んでいる。セクタＩ １４２２は、それぞれワイヤレスリンク１４４０’、１４４２’を通してＢＳ Ｍ１４０８に結合されている、ＥＮ（１）１４３６’およびＥＮ（Ｘ）１４３８’を含み；セクタＩＩ １４２４は、それぞれワイヤレスリンク１４４８’、１４５０’を通してＢＳ Ｍ１４０８に結合されている、ＥＮ（１’）１４４４’およびＥＮ（Ｘ’）１４４６’を含み；セクタ３ １４２６は、それぞれワイヤレスリンク１４５６’、１４５８’を通してＢＳ１４０８に結合されている、ＥＮ（１’’）１４５２’およびＥＮ（Ｘ’’）１４５４’を含んでいる。
【００７６】
システム１４００はまた、それぞれネットワークリンク１４６２、１４６４を通して、ＢＳ Ｉ １４０６とＢＳ Ｍ １４０８とに結合されているネットワークノード１４６０を含んでいる。ネットワークノード１４６０はまた、ネットワークリンク１４６６を通して、例えば、他の基地局や、ＡＡＡサーバノードや、中間ノードや、ルータ等のような他のネットワークノードと、インターネットとに結合されている。ネットワークリンク１４６２、１４６４、１４６６は、例えば、光ファイバケーブルであってもよい。各エンドノード、例えば、ＥＮ １ １４３６は、送信機とともに受信機を備えるワイヤレス端末であってもよい。ワイヤレス端末、例えば、ＥＮ（１）１４３６は、システム１４００を通して移動してもよく、ＥＮが現在位置しているセル中の基地局とのワイヤレスリンクを通して、通信してもよい。ワイヤレス端末（ＷＴ）、例えば、ＥＮ（１）１４３６は、例えばＢＳ１４０６のような基地局をおよび／またはネットワークノード１４６０を通して、例えば、システム１４００中の他のＷＴあるいは外部システム中１４００の他のＷＴのような、ピアノードと、通信することができる。ＷＴ、例えば、ＥＮ（１）１４３６は、セル電話機や、ワイヤレスモデムを持つパーソナルデータアシスタント等のような、移動体通信デバイスであってもよい。それぞれの基地局は、例えば、非ストリップシンボル期間のような、残りのシンボル期間中に、トーンを割り振って、トーンホッピングを決定するために用いられる方法とは異なる方法を、ストリップシンボル期間に対して使用して、トーンサブセット割り振りを実行する。ワイヤレス端末は、トーンサブセット割り振り方法とともに、例えば、基地局スロープＩＤ情報やセクタＩＤ情報のような、基地局から受信した情報を使用して、特定のストリップシンボル期間において、データおよび情報を受信するために、それらが用いることができるトーンを決定する。それぞれのトーンにわたって、セクタ間干渉およびセル間干渉を拡散させるために、さまざまな態様にしたがって、トーンサブセット割り振りシーケンスが構築される。主にセルラモードの文脈内で、主題的なシステムを説明したが、ここで説明する態様にしたがって、複数のモードが利用可能および使用可能であってもよいことを正しく認識すべきである。
【００７７】
図１５は、さまざまな態様にしたがった、例示的な基地局１５００を示している。基地局１５００は、トーンサブセット割り振りシーケンスを実現し、セルのそれぞれの異なるセクタタイプに対して、異なるトーンサブセット割り振りシーケンスが発生される。基地局１５００は、図１４のシステム１４００の基地局１４０６、１４０８のうちのいずれか１つとして使用してもよい。基地局１５００は、バス１５０９によって互いに結合されている、受信機１５０２と、送信機１５０４と、例えばＣＰＵのようなプロセッサ１５０６と、入力／出力インターフェース１５０８と、メモリ１５１０とを備えており、バス１５０９を通して、さまざまなエレメント１５０２、１５０４、１５０６、１５０８、および、１５１０が、データおよび情報を相互交換することができる。
【００７８】
受信機１５０２に結合されているセクタ化アンテナ１５０３は、基地局のセル内の各セクタによるワイヤレス端末送信から、データおよび他の信号を、例えば、チャネル報告を、受信するために使用される。送信機１５０４に結合されているセクタ化アンテナ１５０５は、基地局のセルの各セクタ内のワイヤレス端末１６００（図１６を参照）に対して、データおよび他の信号を、例えば、制御信号、パイロット信号、ビーコン信号等を送信するために使用される。さまざまな態様において、基地局１５００は、複数の受信機１５０２と複数の送信機１５０４とを用いてもよく、例えば、各セクタに対して個々の受信機１５０２を用い、各セクタに対して個々の送信機１５０４を用いてもよい。プロセッサ１５０６は、例えば、汎用中央処理ユニット（ＣＰＵ）であってもよい。プロセッサ１５０６は、メモリ１５１０中に記憶されている１つ以上のルーチン１５１８の指示下で、基地局１５００の動作を制御し、方法を実現する。Ｉ／Ｏインターフェース１５０８は、他のネットワークノードに対する接続を提供して、他の基地局、アクセスルータ、ＡＡＡサーバノード等にＢＳ１５００を結合させ、そして、他のネットワークに対する接続と、インターネットに対する接続とを提供する。メモリ１５１０は、ルーチン１５１８と、データ／情報１５２０とを含んでいる。
【００７９】
データ／情報１５２０は、データ１５３６と、ダウンリンクストリップシンボル時間情報１５４０およびダウンリンクトーン情報１５４２を含むトーンサブセット割り振りシーケンス情報１５３８と、複数のセットのワイヤレス端末（ＷＴ）情報：ＷＴ １情報１５４６およびＷＴ Ｎ情報１５６０を含むワイヤレス端末（ＷＴ）データ／情報１５４４とを含んでいる。例えば、ＷＴ １情報１５４６のようなＷＴ情報の各セットは、データ１５４８と、端末ＩＤ１５５０と、セクタＩＤ １５５２と、アップリンクチャネル情報１５５４と、ダウンリンクチャネル情報１５５６と、モード情報１５５８とを含んでいる。
【００８０】
ルーチン１５１８は、通信ルーチン１５２２と、基地局制御ルーチン１５２４とを含んでいる。基地局制御ルーチン１５２４は、スケジューラモジュール１５２６と、シグナリングルーチン１５２８とを含んでおり、シグナリングルーチン１５２８は、ストリップシンボル期間に対するトーンサブセット割り振りルーチン１５３０と、例えば、非ストリップシンボル期間のような、シンボル期間の残りのものに対する他のダウンリンクトーン割り振りホッピングルーチン１５３２と、ビーコンルーチン１５３４とを含んでいる。
【００８１】
データ１５３６は、ＷＴへの送信の前にエンコードするために、送信機１５０４のエンコーダ１５１４に送られる、送信されることになるデータと、受信に続いて、受信機１５０２のデコーダ１５１２により処理された、ＷＴから受信したデータとを含んでいる。ダウンリンクストリップシンボル時間情報１５４０は、スーパースロット構造情報、ビーコンスロット構造情報、および、ウルトラスロット構造情報のような、フレーム同期化構造情報と、所定のシンボル期間がストリップシンボル期間であるか否かを特定し、そして、そうである場合には、ストリップシンボル期間のインデックスを特定し、ストリップシンボルが、基地局により使用されるトーンサブセット割り振りシーケンスを打ち切る再セッティングポイントであるか否かを特定する情報とを含んでいる。ダウンリンクトーン情報１５４２は、基地局１５００に割り当てられている搬送波周波数や、トーンの数および周波数や、ストリップシンボル期間に割り振られることになる１セットのトーンサブセットを含む情報と、スロープ、スロープインデックス、および、セクタタイプのような、他のセルにおよびセクタに特有な値とを含んでいる。
【００８２】
データ１５４８は、ＷＴ １ １６００がピアノードから受信したデータと、ＷＴ １ １６００がピアノードに送信することを望むデータと、ダウンリンクチャネル品質報告フィードバック情報とを含んでいてもよい。端末ＩＤ １５５０は、ＷＴ １ １６００を識別する基地局１５００割り当てＩＤである。セクタＩＤ １５５２は、ＷＴ １ １６００が動作するセクタを識別する情報を含んでいる。セクタＩＤ １５５２を使用して、例えば、セクタタイプを決定することができる。アップリンクチャネル情報１５５４は、例えば、データのためのアップリンクトラフィックチャネルセグメントや、要求、電力制御、タイミング制御等のための専用アップリンク制御チャネルのような、ＷＴ １ １６００が使用するために、スケジューラ１５２６により割り振られているチャネルセグメントを識別する情報を含んでいる。ＷＴ １ １６００に割り当てられている各アップリンクチャネルは、１つ以上の論理トーンを含み、各論理トーンは、アップリンクホッピングシーケンスに続く。ダウンリンクチャネル情報１５５６は、例えば、ユーザデータのためのダウンリンクトラフィックチャネルセグメントのような、データおよび／または情報をＷＴ １ １６００に伝えるためにスケジューラ１５２６により割り振られているチャネルセグメントを識別する情報を含んでいる。ＷＴ １ １６００に割り当てられている各ダウンリンクチャネルは、１つ以上の論理トーンを含み、それぞれが、ダウンリンクホッピングシーケンスに続く。モード情報１５５８は、例えば、スリープ、ホールド、オンのような、ＷＴ １ １６００の動作の状態を識別する情報を含んでいる。
【００８３】
通信ルーチン１５２２は、基地局１５００を制御して、さまざまな通信動作を実行し、さまざまな通信プロトコルを実現する。基地局制御ルーチン１５２４を使用して、基地局１５００を制御して、例えば、信号発生および受信や、スケジューリングのような、基本的な基地局機能タスクを実行し、ならびに、ストリップシンボル期間の間に、トーンサブセット割り振りシーケンスを使用して、ワイヤレス端末に信号を送信することを含むいくつかの態様の方法のステップを実現する。
【００８４】
シグナリングルーチン１５２８は、そのデコーダ１５１２を持つ受信機１５０２の動作と、そのエンコーダ１５１４を持つ送信機１５０４の動作とを制御する。シグナリングルーチン１５２８は、送信するデータ１５３６と制御情報との発生を制御することを担っている。トーンサブセット割り振りルーチン１５３０は、ある態様の方法を使用して、および、ダウンリンクストリップシンボル時間情報１５４０とセクタＩＤ １５５２とを含むデータ／情報１５２０を使用して、ストリップシンボル期間中で使用されることになるトーンサブセットを構築する。ダウンリンクトーンサブセット割り振りシーケンスは、セル中の各セクタタイプに対して異なり、隣り合うセルに対して異なるだろう。ＷＴ１６００は、ダウンリンクトーンサブセット割り振りシーケンスにしたがって、ストリップシンボル期間中に信号を受信する；基地局１５００は、送信する信号を発生させるために、同じダウンリンクトーンサブセット割り振りシーケンスを使用する。他のダウンリンクトーン割り振りホッピングルーチン１５３２は、ダウンリンクトーン情報１５４２と、ダウンリンクチャネル情報１５５６とを含む情報を使用して、ストリップシンボル期間以外のシンボル期間に対する、ダウンリンクトーンホッピングシーケンスを構築する。ダウンリンクデータトーンホッピングシーケンスは、セルのセクタにわたって同期化される。ビーコンルーチン１５３４は、例えば、１つのまたは少数のトーン上に集中している比較的高い電力信号の信号のような、ビーコン信号の送信を制御し、同期化の目的のために、例えば、ダウンリンク信号のフレームタイミング構造と、それゆえ、ウルトラスロット境界に関するトーンサブセット割り振りシーケンスとを同期化するために、これを使用してもよい。
【００８５】
図１６は、図１４中で示されているシステム１４００のワイヤレス端末（エンドノード）のうちのいずれか１つとして、例えば、ＥＮ（１）１４３６として、使用することができる、例示的なワイヤレス端末（エンドノード）１６００を示している。ワイヤレス端末１６００は、トーンサブセット割り振りシーケンスを実現する。ワイヤレス端末１６００は、デコーダ１６１２を備える受信機１６０２と、エンコーダ１６１４を備える送信機１６０４と、プロセッサ１６０６と、メモリ１６０８とを具備し、これらは、その上でさまざまなエレメント１６０２、１６０４、１６０６、１６０８がデータおよび情報を相互交換することができるバス１６１０により互いに結合されている。基地局（および／または、異なるワイヤレス端末）から信号を受信するために使用するアンテナ１６０３は、受信機１６０２に結合されている。例えば、基地局（および／または、異なるワイヤレス端末）に信号を送信するために使用するアンテナ１６０５は、送信機１６０４に結合されている。
【００８６】
例えばＣＰＵのようなプロセッサ１６０６は、ワイヤレス端末１６００の動作を制御し、ルーチン１６２０を実行することにより、および、メモリ１６０８中のデータ／情報１６２２を使用することにより、方法を実現する。
【００８７】
データ／情報１６２２は、ユーザデータ１６３４と、ユーザ情報１６３６と、トーンサブセット割り振りシーケンス情報１６５０とを含んでいる。ユーザデータ１６３４は、ピアノードに向けられ、送信機１６０４による基地局への送信の前にエンコードするために、エンコーダ１６１４にルーティングされるだろうデータと、受信機１６０２中のデコーダ１６１２により処理された、基地局から受信したデータとを含んでいてもよい。ユーザ情報１６３６は、アップリンクチャネル情報１６３８と、ダウンリンクチャネル情報１６４０と、端末ＩＤ情報１６４２と、基地局ＩＤ情報１６４４と、セクタＩＤ情報１６４６と、モード情報１６４８とを含んでいる。アップリンクチャネル情報１６３８は、基地局に送信するときに使用するために、基地局によりワイヤレス端末１６００に対して割り当てられたアップリンクチャネルセグメントを識別する情報を含んでいる。アップリンクチャネルは、アップリンクトラフィックチャネルや、例えば、要求チャネル、電力制御チャネル、および、タイミング制御チャネルのような、専用アップリンク制御チャネルを含んでいてもよい。各アップリンクチャネルは、１つ以上の論理トーンを含み、各論理トーンは、アップリンクトーンホッピングシーケンスに続く。アップリンクホッピングシーケンスは、セルの各セクタタイプ間で異なり、隣り合うセル間で異なる。ダウンリンクチャネル情報１６４０は、基地局がＷＴ１６００にデータ／情報を送信するときに使用するために、基地局によりＷＴ１６００に割り当てられたダウンリンクチャネルセグメントを識別する情報を含んでいる。ダウンリンクチャネルは、ダウンリンクトラフィックチャネルと割り当てチャネルとを含んでいてもよく、各ダウンリンクチャネルは、１つ以上の論理トーンを含み、各論理トーンは、ダウンリンクホッピングシーケンスに続き、ダウンリンクホッピングシーケンスは、セルの各セクタ間で同期化される。
【００８８】
ユーザ情報１６３６はまた、基地局割り当て識別子である端末ＩＤ情報１６４２と、ＷＴが通信を確立している特定の基地局を識別する基地局ＩＤ情報１６４４と、ＷＴ１６００が現在位置しているセルの特定のセクタを識別するセクタＩＤ情報１６４６とを含んでいる。基地局ＩＤ １６４４は、セルスロープ値を提供し、セクタＩＤ情報１６４６は、セクタインデックスタイプを提供する；セルスロープ値およびセクタインデックスタイプは、トーンホッピングシーケンスを導出するために使用してもよい。ユーザ情報１６３６中に含まれているモード情報１６４８はまた、ＷＴ１６００が、スリープモードであるか、ホールドモードであるか、または、オンモードであるか否かを識別する。
【００８９】
トーンサブセット割り振りシーケンス情報１６５０は、ダウンリンクストリップシンボル時間情報１６５２と、ダウンリンクトーン情報１６５４とを含んでいる。ダウンリンクストリップシンボル時間情報１６５２は、スーパースロット構造情報、ビーコンスロット構造情報、および、ウルトラスロット構造情報のような、フレーム同期化構造情報と、所定のシンボル期間がストリップシンボル期間であるか否か、そして、そうである場合には、ストリップシンボル期間のインデックスを特定し、ならびに、ストリップシンボルが、基地局により使用されるトーンサブセット割り振りシーケンスを打ち切る再セッティングポイントであるか否かを特定する情報とを含んでいる。ダウンリンクトーン情報１６５４は、基地局に割り当てられている搬送波周波数や、トーンの数および周波数や、ストリップシンボル期間に割り振られることになる１セットのトーンサブセットを含む情報と、スロープ、スロープインデックス、および、セクタタイプのような、他のセルにおよびセクタに特有な値とを含んでいる。
【００９０】
ルーチン１６２０は、通信ルーチン１６２４と、ワイヤレス端末制御ルーチン１６２６とを含んでいる。通信ルーチン１６２４は、ＷＴ１６００により使用されるさまざまな通信プロトコルを制御する。ワイヤレス端末制御ルーチン１６２６は、受信機１６０２の制御と送信機１６０４の制御とを含む、基本的なワイヤレス端末１６００機能性を制御する。ワイヤレス端末制御ルーチン１６２６は、シグナリングルーチン１６２８を含んでいる。シグナリングルーチン１６２８は、ストリップシンボル期間に対するトーンサブセット割り振りルーチン１６３０と、例えば、非ストリップシンボル期間のような、シンボル期間の残りのものに対する、他のダウンリンクトーン割り振りホッピングルーチン１６３２とを含んでいる。トーンサブセット割り振りルーチン１６３０は、いくつかの態様にしたがって、ダウンリンクトーンサブセット割り振りシーケンスを発生させて、基地局から送信された受信データを処理するために、ダウンリンクチャネル情報１６４０と、例えば、スロープインデックスおよびセクタタイプのような、基地局ＩＤ情報１６４４と、ダウンリンクトーン情報１６５４とを含むユーザデータ／情報１６２２を使用する。他のダウンリンクトーン割り振りホッピングルーチン１６３０は、ダウンリンクトーン情報１６５４と、ダウンリンクチャネル情報１６４０とを含む情報を使用して、ストリップシンボル期間以外のシンボル期間に対する、ダウンリンクトーンホッピングシーケンスを構築する。トーンサブセット割り振りルーチン１６３０は、プロセッサ１６０６により実行されるときに、いつ、どのトーン上で、ワイヤレス端末１６００が基地局１５００から１つ以上のストリップシンボル信号を受信することになるかを決定するために使用される。アップリンクトーン割り振りホッピングルーチン１６３０は、自身が送信すべきトーンを決定するために、基地局から受信した情報とともに、トーンサブセット割り振り関数を使用する。
【００９１】
１つ以上の例示的な実施形態において、説明した機能は、ハードウェアで、ソフトウェアで、ファームウェアで、または、これらのものを組み合わせた任意のもので実現してもよい。ソフトウェアで実現した場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝えるまたは記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線、無線、およびマイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００９２】
実施形態が、プログラムコードまたはコードセグメントで実現されるとき、コードセグメントは、手順、関数、サブプログラム、プログラム、ルーチン、サブルーチン、モジュール、ソフトウェアパッケージ、クラス、あるいは、命令の任意の組み合わせ、データ構造、またはプログラムステートメントを表すことができることを正しく認識すべきである。コードセグメントは、情報、データ、引数、パラメータ、またはメモリ定数をパスする、および／または、受信することによって、別のコードセグメントまたはハードウェア回路に結合することができる。メモリ共有、メッセージパッシング、トークンパッシング、ネットワーク送信等を含む何らかの適切な手段を使用して、情報、引数、パラメータ、データ等を、パス、転送、または送信することができる。付加的に、何らかの態様では、方法あるいはアルゴリズムのステップおよび／またはアクションは、１組のまたは任意の組のコードおよび／または命令として、あるいは、コードおよび／または命令の任意の組み合わせとして、機械読み取り可能媒体上ならびに／あるいはコンピュータ読取可能媒体上に存在することができ、これらは、コンピュータプログラムプロダクト中に組み込むことができる。
【００９３】
ソフトウェアインプリメンテーションのために、ここで説明した機能を実行するモジュール（例えば、手順、関数等）により、ここで説明した技術を実現することができる。ソフトウェアコードは、メモリユニット中に記憶させて、プロセッサによって実行することができる。メモリユニットをプロセッサ内部またはプロセッサの外部で実現することができ、どちらのケースにおいても、技術的に知られているさまざまな手段によって、プロセッサと通信可能に結合することができる。
【００９４】
ハードウェアインプリメンテーションのために、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、制御装置、マイクロ制御装置、マイクロプロセッサ、ここで説明した機能を実行するように設計されている他の電子ユニット、あるいはこれらを組み合わせたものの内で、処理ユニットを実現してもよい。
【００９５】
先に説明してきたことは、１つ以上の実施形態の例を含んでいる。もちろん、先述の実施形態を説明する目的のためにコンポーネントまたは方法論のすべての考えられる組み合わせを説明することは不可能であるが、当業者は、さまざまな実施形態の多くのさらなる組み合わせおよび置換が可能性あることを認識してもよい。したがって、説明した実施形態は、添付した特許請求の範囲の精神および範囲内にあるすべてのこのような変更、修正およびバリエーションを含むことを意図している。さらに、用語「含む」が詳細な説明または特許請求の範囲のいずれかで使用される限り、このような用語は、用語「具備する」が請求項中で移転語として用いられるときに解釈されるように用語「具備する」とある意味、類似して包括的であることが意図されている。
【００９６】
ここで使用するような、“推測する”または“推測”という用語は、一般的に、イベントおよび／またはデータを通して捕捉されるような１組の観測から、システム、環境、および／または、ユーザの状態について推理するあるいは推測するプロセスのことを指す。推測は、特定の状況またはアクションを識別するために用いることができ、あるいは、例えば、状態に対する確率分布を発生させることができる。推測は、確率論的なものである−すなわち、データおよびイベントの考察に基づいての、対象の状態に対する確率分布の計算とすることができる。推測はまた、１組のイベントおよび／またはデータから、より高いレベルのイベントを構成するために用いられる技法のことを指すこともある。このような推測は、イベントが時間的に近いところで相関しているか否かにかかわらず、ならびに、イベントおよびデータが、１つまたはいくつかの、イベントならびにデータソースから到来したか否かにかかわらず、結果として、１組の観測されたイベントおよび／または記憶されたイベントデータからの、新しいイベントまたはアクションの構築になる。
【００９７】
さらに、この出願で使用しているように、用語“コンポーネント”、“モジュール”、“システム”、および、これらに類するものは、ハードウェアや、ファームウェアや、ハードウェアとソフトウェアとの組み合わせや、ソフトウェアや、または、実行中のソフトウェアのいずれかであるコンピュータ関連エンティティのことを指すことを意図している。例えば、コンポーネントは、これらに限定されないが、プロセッサ上で動作しているプロセス、プロセッサ、オブジェクト、実行ファイル、実行のスレッド、プログラム、および／または、コンピュータとすることができる。例として、コンピューティングデバイス上で動作しているアプリケーションとコンピューティングデバイスの双方をコンポーネントとすることができる。１つ以上のコンポーネントが、プロセスおよび／または実行のスレッド内に存在することがあり、コンポーネントは、１つのコンピュータ上に局所化されていることがあり、および／または、２つ以上のコンピュータの間に分散されていることがある。加えて、それらの上にさまざまなデータ構造を記憶させているさまざまなコンピュータ読取可能媒体から、これらのコンポーネントは実行することができる。コンポーネントは、１つ以上のデータパケット（例えば、ローカルシステム中の、分散システム中の別のコンポーネントと対話する、および／または、インターネットのようなネットワークを通して、信号によって他のシステムと対話する、１つのコンポーネントからのデータ）を有する信号にしたがうような、ローカルおよび／または遠隔のプロセスによって通信することができる。
【図１】
2012526462.tif 000003
【図２】
2012526462.tif 000004
【図３】
2012526462.tif 000005
【図４】
2012526462.tif 000006
【図５】
2012526462.tif 000007
【図６】
2012526462.tif 000008
【図７】
2012526462.tif 000009
【図８】
2012526462.tif 000010
【図９】
2012526462.tif 000011
【図１０】
2012526462.tif 000012
【図１１】
2012526462.tif 000013
【図１２】
2012526462.tif 000014
【図１３】
2012526462.tif 000015
【図１４】
2012526462.tif 000016
【図１５】
2012526462.tif 000017
【図１６】
2012526462.tif 000018
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
ワイヤレス端末からのマルチ搬送波チャネル品質インジケータ（ＣＱＩ）フィードバックを促進する方法において、
プロセッサを用いて、
複数の搬送波を通して基地局と通信するステップと、
前記複数の搬送波中に含まれている搬送波のサブセットを識別するコンフィギュレーションデータセットを、前記基地局から受信するステップと、
前記搬送波のサブセット内の基準搬送波を識別するステップと、
前記基準搬送波に対応する基準ＣＱＩ値と、前記基準ＣＱＩ値から導出した少なくとも１つの差分ＣＱＩ値とを前記基地局に報告するステップとを含む一連のステップを実現するように、コンピュータ読取可能記憶媒体上に記憶されているコンピュータ実行可能な命令を実行することを含む方法。
【請求項２】
前記識別することは、前記搬送波のサブセットのそれぞれに対するＣＱＩ値を把握することをさらに含み、前記搬送波のサブセットのそれぞれに対する前記ＣＱＩ値の比較の関数として、前記基準搬送波を識別する請求項１記載の方法。
【請求項３】
前記識別することは、前記搬送波のサブセット間で最も高いＣＱＩ値を把握することをさらに含み、前記搬送波のサブセット間で前記最も高いＣＱＩ値に基づいて、前記基準搬送波を識別する請求項２記載の方法。
【請求項４】
前記搬送波のサブセットは、前記基準搬送波とは異なる複数の非基準搬送波を含み、前記複数の非基準搬送波のそれぞれは、前記搬送波のサブセット間で前記最も高いＣＱＩ値と比較した対応する差分ＣＱＩ値を有し、前記報告することは、異なる報告インスタンスにおいて、前記複数の非基準搬送波のそれぞれをサイクルさせることにより、前記複数の非基準搬送波のそれぞれに対する対応する差分ＣＱＩ値を報告することをさらに含む請求項３記載の方法。
【請求項５】
前記報告することは、複数の報告インスタンスのそれぞれにおいて、前記基地局に対する前記基準搬送波を識別することをさらに含む請求項３記載の方法。
【請求項６】
前記搬送波のサブセットのうちの少なくとも１つに対する複数のバンド幅部分を規定することにより、前記搬送波のサブセットのうちの少なくとも１つに対する複数のサブバンドＣＱＩ値を把握することをさらに含み、前記基準ＣＱＩ値は、前記複数のバンド幅部分のうちの第１のものに対応する、前記複数のサブバンドＣＱＩ値のうちの第１のものであり、前記複数のサブバンドＣＱＩ値のうちの第２のものと、前記複数のサブバンドＣＱＩ値のうちの前記第１のものとを比較することにより、前記少なくとも１つの差分ＣＱＩ値を導出し、前記複数のサブバンドＣＱＩ値のうちの前記第２のものは、前記複数のバンド幅部分のうちの第２のものに対応する請求項１記載の方法。
【請求項７】
前記搬送波のサブセットのそれぞれに対するバンド幅部分の数を把握することをさらに含み、前記バンド幅部分の数の間で最大のものは、コンフィギュレーションパラメータとして採用可能である請求項６記載の方法。
【請求項８】
前記報告することは、異なる報告インスタンスにおいて、前記複数のバンド幅部分のそれぞれをサイクルさせることにより、前記基準ＣＱＩ値と、前記少なくとも１つの差分ＣＱＩ値とを報告することをさらに含む請求項６記載の方法。
【請求項９】
前記搬送波のサブセットのそれぞれに対するＣＱＩ値は、それぞれ、前記搬送波のサブセットのそれぞれに対するワイドバンドＣＱＩ値に対応し、前記識別することは、前記搬送波のサブセット間で最も高いワイドバンドＣＱＩ値を把握することをさらに含み、前記搬送波のサブセット間で最も高いワイドバンドＣＱＩ値に基づいて、前記基準搬送波を識別する請求項２記載の方法。
【請求項１０】
前記搬送波のサブセットは、前記基準搬送波とは異なる複数の非基準搬送波を含み、前記複数の非基準搬送波のそれぞれは、前記搬送波のサブセット間で前記最も高いワイドバンドＣＱＩ値と比較した対応する差分ＣＱＩ値を有し、前記報告することは、異なる報告インスタンスにおいて、複数の非基準搬送波のそれぞれをサイクルさせることにより、前記複数の非基準搬送波のそれぞれに対する前記対応する差分ＣＱＩ値を報告することをさらに含む請求項９記載の方法。
【請求項１１】
前記基準ＣＱＩ値は、第１の報告インスタンスにおける、前記基準搬送波に対する第１のワイドバンドＣＱＩ値であり、前記少なくとも１つの差分ＣＱＩ値は、第２の報告インスタンスにおける、前記基準搬送波に対する第２のワイドバンドＣＱＩ値である請求項２記載の方法。
【請求項１２】
前記搬送波のサブセットのそれぞれに対する複数のバンド幅部分を規定することにより、前記搬送波のサブセットのそれぞれに対する複数のサブバンドＣＱＩ値を把握することをさらに含み、前記基準ＣＱＩ値は、前記基準搬送波に対するワイドバンドＣＱＩ値であり、前記搬送波のサブセットのそれぞれに対する複数のサブバンドＣＱＩ値のそれぞれは、前記基準搬送波に対する前記ワイドバンドＣＱＩ値から導出した対応する差分ＣＱＩ値を有する請求項１記載の方法。
【請求項１３】
前記報告することは、異なる報告インスタンスにおいて、前記搬送波のサブセットのそれぞれに対する複数のバンド幅部分のそれぞれをサイクルさせることにより、前記搬送波のサブセットのそれぞれに対する複数のサブバンドＣＱＩ値のそれぞれに対する対応する差分ＣＱＩ値を報告することをさらに含む請求項１２記載の方法。
【請求項１４】
前記コンフィギュレーションデータセットは、特定の搬送波を識別するデータをさらに含み、前記識別することは、前記コンフィギュレーションデータセット中で識別した特定の搬送波として、前記基準搬送波を識別することをさらに含む請求項１記載の方法。
【請求項１５】
前記コンフィギュレーションデータセットは、前記基準搬送波の循環を識別するデータをさらに含み、前記識別することは、前記循環の関数として、前記基準搬送波を循環させることをさらに含む請求項１記載の方法。
【請求項１６】
前記循環は、第１のセットの報告インスタンスを報告するための第１の基準搬送波を識別し、前記搬送波のサブセットは、前記第１の基準搬送波とは異なる複数の非基準搬送波を含み、前記複数の非基準搬送波のそれぞれは、前記第１の基準搬送波に対応する第１の基準ＣＱＩ値からそれぞれ導出した対応する差分ＣＱＩ値を有し、前記報告することは、前記搬送波のサブセットにわたってサイクルさせることをさらに含み、前記報告することは、前記第１のセットの報告インスタンスの異なる報告インスタンスにおいて、前記複数の非基準搬送波のそれぞれをサイクルさせることにより、前記複数の非基準搬送波のそれぞれに対する対応する差分ＣＱＩ値を報告することをさらに含む請求項１５記載の方法。
【請求項１７】
前記報告することは、複数の報告インスタンスにわたって報告することをさらに含み、前記搬送波のサブセット内の少なくとも２つの異なる搬送波に対応するフィードバック情報を、前記複数の報告インスタンスのうちの少なくとも１つの間に報告する請求項１記載の方法。
【請求項１８】
前記報告することは、複数の報告インスタンスにわたって報告することをさらに含み、少なくとも２つの異なるサブバンドに対応するフィードバック情報を、前記複数の報告インスタンスのうちの少なくとも１つの間に報告する請求項１記載の方法。
【請求項１９】
前記コンフィギュレーションデータセットは、所望の報告シーケンスを識別するデータをさらに含み、前記報告することは、前記所望の報告シーケンスの関数として、前記基準ＣＱＩ値と、前記少なくとも１つの差分ＣＱＩ値とを報告することをさらに含む請求項１記載の方法。
【請求項２０】
前記コンフィギュレーションデータセットは、所望のＣＱＩ粒度を識別するデータをさらに含み、前記報告することは、前記所望のＣＱＩ粒度の関数として、前記基準ＣＱＩ値と、前記少なくとも１つの差分ＣＱＩ値とを報告することをさらに含む請求項１記載の方法。
【請求項２１】
前記コンフィギュレーションデータセットは、前記基準ＣＱＩ値または前記少なくとも１つの差分ＣＱＩ値のうちの少なくとも１つに対する所望のビット長の識別を含み、前記報告することは、前記所望のビット長に基づいて、前記基準ＣＱＩ値または前記少なくとも１つの差分ＣＱＩ値のうちの少なくとも１つを報告することをさらに含む請求項２０記載の方法。
【請求項２２】
前記報告することは、ランクインジケータ（ＲＩ）またはプリコーディング行列インジケータ（ＰＭＩ）のうちの少なくとも１つを報告することをさらに含む請求項１記載の方法。
【請求項２３】
ワイヤレス端末からのマルチ搬送波チャネル品質インジケータ（ＣＱＩ）フィードバックを促進する装置において、
メモリ中に記憶されているコンピュータ実行可能なコンポーネントを実行するように構成されているプロセッサを具備し、
前記コンポーネントは、
複数の搬送波を通して基地局から信号を受信するように構成されている受信コンポーネントと、
前記複数の搬送波中に含まれている搬送波のサブセットを監視し、搬送波のサブセットを前記基地局から受信したコンフィギュレーションデータセットの関数として識別するように構成されている監視コンポーネントと、
前記搬送波のサブセット内の基準搬送波を識別するように構成されている基準識別コンポーネントと、
前記基準搬送波に対応する基準ＣＱＩ値と、前記基準ＣＱＩ値から導出した少なくとも１つの差分ＣＱＩ値とを把握するように構成されているＣＱＩ処理コンポーネントと、
前記基準ＣＱＩ値と、前記少なくとも１つの差分ＣＱＩ値とを前記基地局に報告するように構成されている送信コンポーネントとを含む装置。
【請求項２４】
前記基準識別コンポーネントは、前記搬送波のサブセットのそれぞれに対するＣＱＩ値を把握するようにと、前記搬送波のサブセットのそれぞれに対する前記ＣＱＩ値を比較することにより、前記基準搬送波を識別するようにさらに構成されている請求項２３記載の装置。
【請求項２５】
前記基準識別コンポーネントは、前記搬送波のサブセット間で最も高いＣＱＩ値を有する搬送波を識別するようにと、前記搬送波のサブセット間で前記最も高いＣＱＩ値を有する搬送波として、前記基準搬送波を識別するようにさらに構成されている請求項２４記載の装置。
【請求項２６】
前記搬送波のサブセットは、前記基準搬送波とは異なる複数の非基準搬送波を含み、前記複数の非基準搬送波のそれぞれは、前記搬送波のサブセット間で前記最も高いＣＱＩ値と比較した対応する差分ＣＱＩ値を有し、前記送信コンポーネントは、異なる報告インスタンスにおいて、前記複数の非基準搬送波のそれぞれをサイクルさせることにより、前記複数の非基準搬送波のそれぞれに対する対応する差分ＣＱＩ値を報告するようにさらに構成されている請求項２５記載の装置。
【請求項２７】
前記送信コンポーネントは、複数の報告インスタンスのそれぞれにおいて、前記基地局に対する前記基準搬送波を識別するようにさらに構成されている請求項２５記載の装置。
【請求項２８】
前記ＣＱＩ処理コンポーネントは、前記搬送波のサブセットのうちの少なくとも１つに対する複数のバンド幅部分を規定することにより、前記搬送波のサブセットのうちの少なくとも１つに対する複数のサブバンドＣＱＩ値を把握するようにさらに構成され、前記基準ＣＱＩ値は、前記複数のバンド幅部分のうちの第１のものに対応する、前記複数のサブバンドＣＱＩ値のうちの第１のものであり、前記複数のサブバンドＣＱＩ値のうちの第２のものと、前記複数のサブバンドＣＱＩ値のうちの前記第１のものとを比較することにより、前記少なくとも１つの差分ＣＱＩ値を導出し、前記複数のサブバンドＣＱＩ値のうちの前記第２のものは、前記複数のバンド幅部分のうちの第２のものに対応する請求項２３記載の装置。
【請求項２９】
前記ＣＱＩ処理コンポーネントは、前記搬送波のサブセットのそれぞれに対するバンド幅部分の数を把握するようにさらに構成され、前記バンド幅部分の数の間で最大のものは、コンフィギュレーションパラメータとして採用可能である請求項２８記載の装置。
【請求項３０】
前記送信コンポーネントは、異なる報告インスタンスにおいて、前記複数のバンド幅部分のそれぞれをサイクルさせることにより、前記基準ＣＱＩ値と、前記少なくとも１つの差分ＣＱＩ値とを報告するようにさらに構成されている請求項２８記載の装置。
【請求項３１】
前記搬送波のサブセットのそれぞれに対するＣＱＩ値は、それぞれ、前記搬送波のサブセットのそれぞれに対するワイドバンドＣＱＩ値に対応し、前記ＣＱＩ処理コンポーネントは、前記搬送波のサブセット間で最も高いワイドバンドＣＱＩ値を把握するようにさらに構成され、前記基準識別コンポーネントは、前記搬送波のサブセット間で最も高いワイドバンドＣＱＩ値に基づいて、前記基準搬送波を識別するようにさらに構成されている請求項２４記載の装置。
【請求項３２】
前記搬送波のサブセットは、前記基準搬送波とは異なる複数の非基準搬送波を含み、前記複数の非基準搬送波のそれぞれは、前記搬送波のサブセット間で前記最も高いワイドバンドＣＱＩ値と比較した対応する差分ＣＱＩ値を有し、前記送信コンポーネントは、異なる報告インスタンスにおいて、複数の非基準搬送波のそれぞれをサイクルさせることにより、前記複数の非基準搬送波のそれぞれに対する前記対応する差分ＣＱＩ値を報告するようにさらに構成されている請求項３１記載の装置。
【請求項３３】
前記基準ＣＱＩ値は、第１の報告インスタンスにおける、前記基準搬送波に対する第１のワイドバンドＣＱＩ値であり、前記少なくとも１つの差分ＣＱＩ値は、第２の報告インスタンスにおける、前記基準搬送波に対する第２のワイドバンドＣＱＩ値である請求項２４記載の装置。
【請求項３４】
前記ＣＱＩ処理コンポーネントは、前記搬送波のサブセットのそれぞれに対する複数のバンド幅部分を規定することにより、前記搬送波のサブセットのそれぞれに対する複数のサブバンドＣＱＩ値を把握するようにさらに構成され、前記基準ＣＱＩ値は、前記基準搬送波に対するワイドバンドＣＱＩ値であり、前記搬送波のサブセットのそれぞれに対する複数のサブバンドＣＱＩ値のそれぞれは、前記基準搬送波に対する前記ワイドバンドＣＱＩ値から導出した対応する差分ＣＱＩ値を有する請求項２３記載の装置。
【請求項３５】
前記送信コンポーネントは、異なる報告インスタンスにおいて、前記搬送波のサブセットのそれぞれに対する複数のバンド幅部分のそれぞれをサイクルさせることにより、前記搬送波のサブセットのそれぞれに対する複数のサブバンドＣＱＩ値のそれぞれに対する対応する差分ＣＱＩ値を報告するようにさらに構成されている請求項３４記載の装置。
【請求項３６】
前記コンフィギュレーションデータセットは、特定の搬送波を識別するデータをさらに含み、前記基準識別コンポーネントは、前記コンフィギュレーションデータセット中で識別した特定の搬送波として、前記基準搬送波を識別するようにさらに構成されている請求項２３記載の装置。
【請求項３７】
前記コンフィギュレーションデータセットは、前記基準搬送波の循環を識別するデータをさらに含み、前記基準識別コンポーネントは、前記循環に基づいて、前記基準搬送波を識別するようにさらに構成されている請求項２３記載の装置。
【請求項３８】
前記循環は、第１のセットの報告インスタンスを報告するための第１の基準搬送波を識別し、前記搬送波のサブセットは、前記第１の基準搬送波とは異なる複数の非基準搬送波を含み、前記複数の非基準搬送波のそれぞれは、前記第１の基準搬送波に対応する第１の基準ＣＱＩ値からそれぞれ導出した対応する差分ＣＱＩ値を有し、前記送信コンポーネントは、前記搬送波のサブセットにわたってサイクルさせるようにさらに構成され、前記送信コンポーネントは、前記第１のセットの報告インスタンスの異なる報告インスタンスにおいて、前記複数の非基準搬送波のそれぞれをサイクルさせることにより、前記複数の非基準搬送波のそれぞれに対する対応する差分ＣＱＩ値を報告するようにさらに構成されている請求項３７記載の装置。
【請求項３９】
前記送信コンポーネントは、複数の報告インスタンスにわたって報告するようにさらに構成され、前記搬送波のサブセット内の少なくとも２つの異なる搬送波に対応するフィードバック情報を、前記複数の報告インスタンスのうちの少なくとも１つの間に報告する請求項２３記載の装置。
【請求項４０】
前記送信コンポーネントは、複数の報告インスタンスにわたって報告するようにさらに構成され、少なくとも２つの異なるサブバンドに対応するフィードバック情報を、前記複数の報告インスタンスのうちの少なくとも１つの間に報告する請求項２３記載の装置。
【請求項４１】
前記コンフィギュレーションデータセットは、所望の報告シーケンスを識別するデータをさらに含み、前記送信コンポーネントは、前記所望の報告シーケンスに基づいて、前記基準ＣＱＩ値と、前記少なくとも１つの差分ＣＱＩ値とを送信するようにさらに構成されている請求項２３記載の装置。
【請求項４２】
前記コンフィギュレーションデータセットは、所望のＣＱＩ粒度を識別するデータをさらに含み、前記ＣＱＩ処理コンポーネントは、前記所望のＣＱＩ粒度に基づいて、前記基準ＣＱＩ値と、前記少なくとも１つの差分ＣＱＩ値とを把握するようにさらに構成されている請求項２３記載の装置。
【請求項４３】
前記コンフィギュレーションデータセットは、前記基準ＣＱＩ値または前記少なくとも１つの差分ＣＱＩ値のうちの少なくとも１つに対する所望のビット長の識別を含み、前記ＣＱＩ処理コンポーネントは、前記所望のビット長に基づいて、前記基準ＣＱＩ値または前記少なくとも１つの差分ＣＱＩ値のうちの少なくとも１つを把握するようにさらに構成されている請求項４２記載の装置。
【請求項４４】
前記送信コンポーネントは、ランクインジケータ（ＲＩ）またはプリコーディング行列インジケータ（ＰＭＩ）のうちの少なくとも１つを報告するようにさらに構成されている請求項２３記載の装置。
【請求項４５】
ワイヤレス端末からのマルチ搬送波チャネル品質インジケータ（ＣＱＩ）フィードバックを促進するコンピュータ読取可能記憶媒体において、
複数の搬送波を通して基地局と通信するためと、
前記複数の搬送波中に含まれている搬送波のサブセットを識別するコンフィギュレーションデータセットを、前記基地局から受信するためと、
前記搬送波のサブセット内の基準搬送波を識別するためと、
前記基準搬送波に対応する基準ＣＱＩ値と、前記基準ＣＱＩ値から導出した少なくとも１つの差分ＣＱＩ値とを前記基地局に報告するためのコードを含むコンピュータ読取可能記憶媒体。
【請求項４６】
ワイヤレス端末からのマルチ搬送波チャネル品質インジケータ（ＣＱＩ）フィードバックを促進する装置において、
複数の搬送波を通して基地局と通信する手段と、
前記複数の搬送波中に含まれている搬送波のサブセットを識別するコンフィギュレーションデータセットを、前記基地局から受信する手段と、
前記搬送波のサブセット内の基準搬送波を識別する手段と、
前記基準搬送波に対応する基準ＣＱＩ値と、前記基準ＣＱＩ値から導出した少なくとも１つの差分ＣＱＩ値とを前記基地局に報告する手段とを具備する装置。
【請求項４７】
基地局からのマルチ搬送波チャネル品質インジケータ（ＣＱＩ）フィードバックを促進する方法において、
前記方法は、
プロセッサを用いて、
複数の搬送波を通してワイヤレス端末と通信するステップと、
前記複数の搬送波中に含まれている搬送波のサブセットを識別するコンフィギュレーションデータセットを発生させるステップと、
前記ワイヤレス端末に前記コンフィギュレーションデータセットを送信するステップと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するステップとを含む一連のステップを実現するように、コンピュータ読取可能記憶媒体上に記憶されているコンピュータ実行可能な命令を実行することを含む方法。
【請求項４８】
前記発生させることは、前記搬送波のサブセットのそれぞれに対するＣＱＩ値を把握するようにと、前記搬送波のサブセットのそれぞれに対する前記ＣＱＩ値の比較の関数として、前記基準搬送波を識別するように、前記ワイヤレス端末に指示する前記コンフィギュレーションデータセットを発生させることをさらに含む請求項４７記載の方法。
【請求項４９】
前記発生させることは、前記搬送波のサブセット間で最も高いＣＱＩ値を有する搬送波を識別するようにと、前記搬送波のサブセット間で最も高いＣＱＩ値を有する搬送波として、前記基準搬送波を識別するように、前記ワイヤレス端末に指示する前記コンフィギュレーションデータセットを発生させることをさらに含む請求項４８記載の方法。
【請求項５０】
前記発生させることは、前記コンフィギュレーションデータセットにより識別した特定の搬送波として、前記基準搬送波を識別するように、前記ワイヤレス端末に指示する前記コンフィギュレーションデータセットを発生させることをさらに含む請求項４７記載の方法。
【請求項５１】
前記発生させることは、前記コンフィギュレーションデータセットにより識別した前記基準搬送波の循環の関数として、前記基準搬送波を識別するように、前記ワイヤレス端末に指示する前記コンフィギュレーションデータセットを発生させることをさらに含む請求項４７記載の方法。
【請求項５２】
前記発生させることは、前記コンフィギュレーションデータセットにより識別した所望の報告シーケンスの関数として、前記基準ＣＱＩ値と、前記少なくとも１つの差分ＣＱＩ値とを報告するように、前記ワイヤレス端末に指示する前記コンフィギュレーションデータセットを発生させることをさらに含む請求項４７記載の方法。
【請求項５３】
前記発生させることは、前記コンフィギュレーションデータセットにより識別した所望のＣＱＩ粒度の関数として、前記基準ＣＱＩ値と、前記少なくとも１つの差分ＣＱＩ値とを報告するように、前記ワイヤレス端末に指示する前記コンフィギュレーションデータセットを発生させることをさらに含む請求項４７記載の方法。
【請求項５４】
前記発生させることは、前記基準ＣＱＩ値または前記少なくとも１つの差分ＣＱＩ値のうちの少なくとも１つに対する所望のビット長に基づいて、前記基準ＣＱＩ値または前記少なくとも１つの差分ＣＱＩ値のうちの少なくとも１つを報告するように、前記ワイヤレス端末に指示する前記コンフィギュレーションデータセットを発生させることをさらに含み、前記所望のビット長は、前記コンフィギュレーションデータセットにより識別する請求項５３記載の方法。
【請求項５５】
基地局からのマルチ搬送波チャネル品質インジケータ（ＣＱＩ）フィードバックを促進する装置において、
メモリ中に記憶されているコンピュータ実行可能なコンポーネントを実行するように構成されているプロセッサを具備し、
前記コンポーネントは、
複数の搬送波を通してのワイヤレス端末との通信を促進し、前記通信が、前記ワイヤレス端末へのコンフィギュレーションデータセットの送信を含むように構成されている通信コンポーネントと、
前記複数の搬送波中に含まれている搬送波のサブセットを識別する前記コンフィギュレーションデータセットを発生させるように構成されている発生コンポーネントと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するように構成されているＣＱＩ処理コンポーネントとを備える装置。
【請求項５６】
前記発生コンポーネントは、前記搬送波のサブセットのそれぞれに対するＣＱＩ値を把握するようにと、前記搬送波のサブセットのそれぞれに対する前記ＣＱＩ値の比較の関数として、前記基準搬送波を識別するように、前記ワイヤレス端末に指示する前記コンフィギュレーションデータセットを発生させるようにさらに構成されている請求項５５記載の装置。
【請求項５７】
前記発生コンポーネントは、前記搬送波のサブセット間で最も高いＣＱＩ値を有する搬送波を識別するようにと、前記搬送波のサブセット間で最も高いＣＱＩ値を有する搬送波として、前記基準搬送波を識別するように、前記ワイヤレス端末に指示する前記コンフィギュレーションデータセットを発生させるようにさらに構成されている請求項５６記載の装置。
【請求項５８】
前記発生コンポーネントは、前記コンフィギュレーションデータセットにより識別した特定の搬送波として、前記基準搬送波を識別するように、前記ワイヤレス端末に指示する前記コンフィギュレーションデータセットを発生させるようにさらに構成されている請求項５５記載の装置。
【請求項５９】
前記発生コンポーネントは、前記コンフィギュレーションデータセットにより識別した前記基準搬送波の循環の関数として、前記基準搬送波を識別するように、前記ワイヤレス端末に指示する前記コンフィギュレーションデータセットを発生させるようにさらに構成されている請求項５５記載の装置。
【請求項６０】
前記発生コンポーネントは、前記コンフィギュレーションデータセットにより識別した所望の報告シーケンスの関数として、前記基準ＣＱＩ値と、前記少なくとも１つの差分ＣＱＩ値とを報告するように、前記ワイヤレス端末に指示する前記コンフィギュレーションデータセットを発生させるようにさらに構成されている請求項５５記載の装置。
【請求項６１】
前記発生コンポーネントは、前記コンフィギュレーションデータセットにより識別した所望のＣＱＩ粒度の関数として、前記基準ＣＱＩ値と、前記少なくとも１つの差分ＣＱＩ値とを報告するように、前記ワイヤレス端末に指示する前記コンフィギュレーションデータセットを発生させるようにさらに構成されている請求項５５記載の装置。
【請求項６２】
前記発生コンポーネントは、前記基準ＣＱＩ値または前記少なくとも１つの差分ＣＱＩ値のうちの少なくとも１つに対する所望のビット長に基づいて、前記基準ＣＱＩ値または前記少なくとも１つの差分ＣＱＩ値のうちの少なくとも１つを報告するように、前記ワイヤレス端末に指示する前記コンフィギュレーションデータセットを発生させるようにさらに構成され、前記所望のビット長は、前記コンフィギュレーションデータセットにより識別する請求項６１記載の装置。
【請求項６３】
基地局からのマルチ搬送波チャネル品質インジケータ（ＣＱＩ）フィードバックを促進するコンピュータ読取可能記憶媒体において、
複数の搬送波を通してワイヤレス端末と通信するためと、
前記複数の搬送波中に含まれている搬送波のサブセットを識別するコンフィギュレーションデータセットを発生させるためと、
前記ワイヤレス端末に前記コンフィギュレーションデータセットを送信するためと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するためのコードを含むコンピュータ読取可能記憶媒体。
【請求項６４】
基地局からのマルチ搬送波チャネル品質インジケータ（ＣＱＩ）フィードバックを促進する装置において、
複数の搬送波を通してワイヤレス端末と通信する手段と、
前記複数の搬送波中に含まれている搬送波のサブセットを識別するコンフィギュレーションデータセットを発生させる手段と、
前記ワイヤレス端末に前記コンフィギュレーションデータセットを送信する手段と、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理する手段とを具備する装置。
【手続補正２】
【補正対象書類名】明細書
【補正対象項目名】００９７
【補正方法】変更
【補正の内容】
【００９７】
さらに、この出願で使用しているように、用語“コンポーネント”、“モジュール”、“システム”、および、これらに類するものは、ハードウェアや、ファームウェアや、ハードウェアとソフトウェアとの組み合わせや、ソフトウェアや、または、実行中のソフトウェアのいずれかであるコンピュータ関連エンティティのことを指すことを意図している。例えば、コンポーネントは、これらに限定されないが、プロセッサ上で動作しているプロセス、プロセッサ、オブジェクト、実行ファイル、実行のスレッド、プログラム、および／または、コンピュータとすることができる。例として、コンピューティングデバイス上で動作しているアプリケーションとコンピューティングデバイスの双方をコンポーネントとすることができる。１つ以上のコンポーネントが、プロセスおよび／または実行のスレッド内に存在することがあり、コンポーネントは、１つのコンピュータ上に局所化されていることがあり、および／または、２つ以上のコンピュータの間に分散されていることがある。加えて、それらの上にさまざまなデータ構造を記憶させているさまざまなコンピュータ読取可能媒体から、これらのコンポーネントは実行することができる。コンポーネントは、１つ以上のデータパケット（例えば、ローカルシステム中の、分散システム中の別のコンポーネントと対話する、および／または、インターネットのようなネットワークを通して、信号によって他のシステムと対話する、１つのコンポーネントからのデータ）を有する信号にしたがうような、ローカルおよび／または遠隔のプロセスによって通信することができる。
以下に、本願出願の当初の特許請求の範囲に記載された発明を付記する。
［１］ワイヤレス端末からのマルチ搬送波チャネル品質インジケータ（ＣＱＩ）フィードバックを促進する方法において、
プロセッサを用いて、
複数の搬送波を通して基地局と通信するステップと、
前記複数の搬送波中に含まれている搬送波のサブセットを識別するコンフィギュレーションデータセットを、前記基地局から受信するステップと、
前記搬送波のサブセット内の基準搬送波を識別するステップと、
前記基準搬送波に対応する基準ＣＱＩ値と、前記基準ＣＱＩ値から導出した少なくとも１つの差分ＣＱＩ値とを前記基地局に報告するステップとを含む一連のステップを実現するように、コンピュータ読取可能記憶媒体上に記憶されているコンピュータ実行可能な命令を実行することを含む方法。
［２］前記識別することは、前記搬送波のサブセットのそれぞれに対するＣＱＩ値を把握することをさらに含み、前記搬送波のサブセットのそれぞれに対する前記ＣＱＩ値の比較の関数として、前記基準搬送波を識別する［１］に記載の方法。
［３］前記識別することは、前記搬送波のサブセット間で最も高いＣＱＩ値を把握することをさらに含み、前記搬送波のサブセット間で前記最も高いＣＱＩ値に基づいて、前記基準搬送波を識別する［２］に記載の方法。
［４］前記搬送波のサブセットは、前記基準搬送波とは異なる複数の非基準搬送波を含み、前記複数の非基準搬送波のそれぞれは、前記搬送波のサブセット間で前記最も高いＣＱＩ値と比較した対応する差分ＣＱＩ値を有し、前記報告することは、異なる報告インスタンスにおいて、前記複数の非基準搬送波のそれぞれをサイクルさせることにより、前記複数の非基準搬送波のそれぞれに対する対応する差分ＣＱＩ値を報告することをさらに含む［３］に記載の方法。
［５］前記報告することは、複数の報告インスタンスのそれぞれにおいて、前記基地局に対する前記基準搬送波を識別することをさらに含む［３］に記載の方法。
［６］前記搬送波のサブセットのうちの少なくとも１つに対する複数のバンド幅部分を規定することにより、前記搬送波のサブセットのうちの少なくとも１つに対する複数のサブバンドＣＱＩ値を把握することをさらに含み、前記基準ＣＱＩ値は、前記複数のバンド幅部分のうちの第１のものに対応する、前記複数のサブバンドＣＱＩ値のうちの第１のものであり、前記複数のサブバンドＣＱＩ値のうちの第２のものと、前記複数のサブバンドＣＱＩ値のうちの前記第１のものとを比較することにより、前記少なくとも１つの差分ＣＱＩ値を導出し、前記複数のサブバンドＣＱＩ値のうちの前記第２のものは、前記複数のバンド幅部分のうちの第２のものに対応する［１］に記載の方法。
［７］前記搬送波のサブセットのそれぞれに対するバンド幅部分の数を把握することをさらに含み、前記バンド幅部分の数の間で最大のものは、コンフィギュレーションパラメータとして採用可能である［６］に記載の方法。
［８］前記報告することは、異なる報告インスタンスにおいて、前記複数のバンド幅部分のそれぞれをサイクルさせることにより、前記基準ＣＱＩ値と、前記少なくとも１つの差分ＣＱＩ値とを報告することをさらに含む［６］に記載の方法。
［９］前記搬送波のサブセットのそれぞれに対するＣＱＩ値は、それぞれ、前記搬送波のサブセットのそれぞれに対するワイドバンドＣＱＩ値に対応し、前記識別することは、前記搬送波のサブセット間で最も高いワイドバンドＣＱＩ値を把握することをさらに含み、前記搬送波のサブセット間で最も高いワイドバンドＣＱＩ値に基づいて、前記基準搬送波を識別する［２］に記載の方法。
［１０］前記搬送波のサブセットは、前記基準搬送波とは異なる複数の非基準搬送波を含み、前記複数の非基準搬送波のそれぞれは、前記搬送波のサブセット間で前記最も高いワイドバンドＣＱＩ値と比較した対応する差分ＣＱＩ値を有し、前記報告することは、異なる報告インスタンスにおいて、複数の非基準搬送波のそれぞれをサイクルさせることにより、前記複数の非基準搬送波のそれぞれに対する前記対応する差分ＣＱＩ値を報告することをさらに含む［９］に記載の方法。
［１１］前記基準ＣＱＩ値は、第１の報告インスタンスにおける、前記基準搬送波に対する第１のワイドバンドＣＱＩ値であり、前記少なくとも１つの差分ＣＱＩ値は、第２の報告インスタンスにおける、前記基準搬送波に対する第２のワイドバンドＣＱＩ値である［２］に記載の方法。
［１２］前記搬送波のサブセットのそれぞれに対する複数のバンド幅部分を規定することにより、前記搬送波のサブセットのそれぞれに対する複数のサブバンドＣＱＩ値を把握することをさらに含み、前記基準ＣＱＩ値は、前記基準搬送波に対するワイドバンドＣＱＩ値であり、前記搬送波のサブセットのそれぞれに対する複数のサブバンドＣＱＩ値のそれぞれは、前記基準搬送波に対する前記ワイドバンドＣＱＩ値から導出した対応する差分ＣＱＩ値を有する［１］に記載の方法。
［１３］前記報告することは、異なる報告インスタンスにおいて、前記搬送波のサブセットのそれぞれに対する複数のバンド幅部分のそれぞれをサイクルさせることにより、前記搬送波のサブセットのそれぞれに対する複数のサブバンドＣＱＩ値のそれぞれに対する対応する差分ＣＱＩ値を報告することをさらに含む［１２］に記載の方法。
［１４］前記コンフィギュレーションデータセットは、特定の搬送波を識別するデータをさらに含み、前記識別することは、前記コンフィギュレーションデータセット中で識別した特定の搬送波として、前記基準搬送波を識別することをさらに含む［１］に記載の方法。
［１５］前記コンフィギュレーションデータセットは、前記基準搬送波の循環を識別するデータをさらに含み、前記識別することは、前記循環の関数として、前記基準搬送波を循環させることをさらに含む［１］に記載の方法。
［１６］前記循環は、第１のセットの報告インスタンスを報告するための第１の基準搬送波を識別し、前記搬送波のサブセットは、前記第１の基準搬送波とは異なる複数の非基準搬送波を含み、前記複数の非基準搬送波のそれぞれは、前記第１の基準搬送波に対応する第１の基準ＣＱＩ値からそれぞれ導出した対応する差分ＣＱＩ値を有し、前記報告することは、前記搬送波のサブセットにわたってサイクルさせることをさらに含み、前記報告することは、前記第１のセットの報告インスタンスの異なる報告インスタンスにおいて、前記複数の非基準搬送波のそれぞれをサイクルさせることにより、前記複数の非基準搬送波のそれぞれに対する対応する差分ＣＱＩ値を報告することをさらに含む［１５］に記載の方法。
［１７］前記報告することは、複数の報告インスタンスにわたって報告することをさらに含み、前記搬送波のサブセット内の少なくとも２つの異なる搬送波に対応するフィードバック情報を、前記複数の報告インスタンスのうちの少なくとも１つの間に報告する［１］に記載の方法。
［１８］前記報告することは、複数の報告インスタンスにわたって報告することをさらに含み、少なくとも２つの異なるサブバンドに対応するフィードバック情報を、前記複数の報告インスタンスのうちの少なくとも１つの間に報告する［１］に記載の方法。
［１９］前記コンフィギュレーションデータセットは、所望の報告シーケンスを識別するデータをさらに含み、前記報告することは、前記所望の報告シーケンスの関数として、前記基準ＣＱＩ値と、前記少なくとも１つの差分ＣＱＩ値とを報告することをさらに含む［１］に記載の方法。
［２０］前記コンフィギュレーションデータセットは、所望のＣＱＩ粒度を識別するデータをさらに含み、前記報告することは、前記所望のＣＱＩ粒度の関数として、前記基準ＣＱＩ値と、前記少なくとも１つの差分ＣＱＩ値とを報告することをさらに含む［１］に記載の方法。
［２１］前記コンフィギュレーションデータセットは、前記基準ＣＱＩ値または前記少なくとも１つの差分ＣＱＩ値のうちの少なくとも１つに対する所望のビット長の識別を含み、前記報告することは、前記所望のビット長に基づいて、前記基準ＣＱＩ値または前記少なくとも１つの差分ＣＱＩ値のうちの少なくとも１つを報告することをさらに含む［２０］に記載の方法。
［２２］前記報告することは、ランクインジケータ（ＲＩ）またはプリコーディング行列インジケータ（ＰＭＩ）のうちの少なくとも１つを報告することをさらに含む［１］に記載の方法。
［２３］ワイヤレス端末からのマルチ搬送波チャネル品質インジケータ（ＣＱＩ）フィードバックを促進する装置において、
メモリ中に記憶されているコンピュータ実行可能なコンポーネントを実行するように構成されているプロセッサを具備し、
前記コンポーネントは、
複数の搬送波を通して基地局から信号を受信するように構成されている受信コンポーネントと、
前記複数の搬送波中に含まれている搬送波のサブセットを監視し、搬送波のサブセットを前記基地局から受信したコンフィギュレーションデータセットの関数として識別するように構成されている監視コンポーネントと、
前記搬送波のサブセット内の基準搬送波を識別するように構成されている基準識別コンポーネントと、
前記基準搬送波に対応する基準ＣＱＩ値と、前記基準ＣＱＩ値から導出した少なくとも１つの差分ＣＱＩ値とを把握するように構成されているＣＱＩ処理コンポーネントと、
前記基準ＣＱＩ値と、前記少なくとも１つの差分ＣＱＩ値とを前記基地局に報告するように構成されている送信コンポーネントとを含む装置。
［２４］前記基準識別コンポーネントは、前記搬送波のサブセットのそれぞれに対するＣＱＩ値を把握するようにと、前記搬送波のサブセットのそれぞれに対する前記ＣＱＩ値を比較することにより、前記基準搬送波を識別するようにさらに構成されている［２３］に記載の装置。
［２５］前記基準識別コンポーネントは、前記搬送波のサブセット間で最も高いＣＱＩ値を有する搬送波を識別するようにと、前記搬送波のサブセット間で前記最も高いＣＱＩ値を有する搬送波として、前記基準搬送波を識別するようにさらに構成されている［２４］に記載の装置。
［２６］前記搬送波のサブセットは、前記基準搬送波とは異なる複数の非基準搬送波を含み、前記複数の非基準搬送波のそれぞれは、前記搬送波のサブセット間で前記最も高いＣＱＩ値と比較した対応する差分ＣＱＩ値を有し、前記送信コンポーネントは、異なる報告インスタンスにおいて、前記複数の非基準搬送波のそれぞれをサイクルさせることにより、前記複数の非基準搬送波のそれぞれに対する対応する差分ＣＱＩ値を報告するように構成されている［２５］に記載の装置。
［２７］前記送信コンポーネントは、複数の報告インスタンスのそれぞれにおいて、前記基地局に対する前記基準搬送波を識別するように構成されている［２５］に記載の装置。
［２８］前記ＣＱＩ処理コンポーネントは、前記搬送波のサブセットのうちの少なくとも１つに対する複数のバンド幅部分を規定することにより、前記搬送波のサブセットのうちの少なくとも１つに対する複数のサブバンドＣＱＩ値を把握するように構成され、前記基準ＣＱＩ値は、前記複数のバンド幅部分のうちの第１のものに対応する、前記複数のサブバンドＣＱＩ値のうちの第１のものであり、前記複数のサブバンドＣＱＩ値のうちの第２のものと、前記複数のサブバンドＣＱＩ値のうちの前記第１のものとを比較することにより、前記少なくとも１つの差分ＣＱＩ値を導出し、前記複数のサブバンドＣＱＩ値のうちの前記第２のものは、前記複数のバンド幅部分のうちの第２のものに対応する［２３］に記載の装置。
［２９］前記ＣＱＩ処理コンポーネントは、前記搬送波のサブセットのそれぞれに対するバンド幅部分の数を把握するように構成され、前記バンド幅部分の数の間で最大のものは、コンフィギュレーションパラメータとして採用可能である［２８］に記載の装置。
［３０］前記送信コンポーネントは、異なる報告インスタンスにおいて、前記複数のバンド幅部分のそれぞれをサイクルさせることにより、前記基準ＣＱＩ値と、前記少なくとも１つの差分ＣＱＩ値とを報告するように構成されている［２８］に記載の装置。
［３１］前記搬送波のサブセットのそれぞれに対するＣＱＩ値は、それぞれ、前記搬送波のサブセットのそれぞれに対するワイドバンドＣＱＩ値に対応し、前記ＣＱＩ処理コンポーネントは、前記搬送波のサブセット間で最も高いワイドバンドＣＱＩ値を把握するように構成され、前記基準識別コンポーネントは、前記搬送波のサブセット間で最も高いワイドバンドＣＱＩ値に基づいて、前記基準搬送波を識別するように構成されている［２４］に記載の装置。
［３２］前記搬送波のサブセットは、前記基準搬送波とは異なる複数の非基準搬送波を含み、前記複数の非基準搬送波のそれぞれは、前記搬送波のサブセット間で前記最も高いワイドバンドＣＱＩ値と比較した対応する差分ＣＱＩ値を有し、前記送信コンポーネントは、異なる報告インスタンスにおいて、複数の非基準搬送波のそれぞれをサイクルさせることにより、前記複数の非基準搬送波のそれぞれに対する前記対応する差分ＣＱＩ値を報告するように構成されている［３１］に記載の装置。
［３３］前記基準ＣＱＩ値は、第１の報告インスタンスにおける、前記基準搬送波に対する第１のワイドバンドＣＱＩ値であり、前記少なくとも１つの差分ＣＱＩ値は、第２の報告インスタンスにおける、前記基準搬送波に対する第２のワイドバンドＣＱＩ値である［２４］に記載の装置。
［３４］前記ＣＱＩ処理コンポーネントは、前記搬送波のサブセットのそれぞれに対する複数のバンド幅部分を規定することにより、前記搬送波のサブセットのそれぞれに対する複数のサブバンドＣＱＩ値を把握するように構成され、前記基準ＣＱＩ値は、前記基準搬送波に対するワイドバンドＣＱＩ値であり、前記搬送波のサブセットのそれぞれに対する複数のサブバンドＣＱＩ値のそれぞれは、前記基準搬送波に対する前記ワイドバンドＣＱＩ値から導出した対応する差分ＣＱＩ値を有する［２３］に記載の装置。
［３５］前記送信コンポーネントは、異なる報告インスタンスにおいて、前記搬送波のサブセットのそれぞれに対する複数のバンド幅部分のそれぞれをサイクルさせることにより、前記搬送波のサブセットのそれぞれに対する複数のサブバンドＣＱＩ値のそれぞれに対する対応する差分ＣＱＩ値を報告するように構成されている［３４］に記載の装置。
［３６］前記コンフィギュレーションデータセットは、特定の搬送波を識別するデータをさらに含み、前記基準識別コンポーネントは、前記コンフィギュレーションデータセット中で識別した特定の搬送波として、前記基準搬送波を識別するようにさらに構成されている［２３］に記載の装置。
［３７］前記コンフィギュレーションデータセットは、前記基準搬送波の循環を識別するデータをさらに含み、前記基準識別コンポーネントは、前記循環に基づいて、前記基準搬送波を識別するようにさらに構成されている［２３］に記載の装置。
［３８］前記循環は、第１のセットの報告インスタンスを報告するための第１の基準搬送波を識別し、前記搬送波のサブセットは、前記第１の基準搬送波とは異なる複数の非基準搬送波を含み、前記複数の非基準搬送波のそれぞれは、前記第１の基準搬送波に対応する第１の基準ＣＱＩ値からそれぞれ導出した対応する差分ＣＱＩ値を有し、前記報告することは、前記搬送波のサブセットにわたってサイクルさせることをさらに含み、前記送信コンポーネントは、前記第１のセットの報告インスタンスの異なる報告インスタンスにおいて、前記複数の非基準搬送波のそれぞれをサイクルさせることにより、前記複数の非基準搬送波のそれぞれに対する対応する差分ＣＱＩ値を報告するように構成されている［３７］に記載の装置。
［３９］前記送信コンポーネントは、複数の報告インスタンスにわたって報告するように構成され、前記搬送波のサブセット内の少なくとも２つの異なる搬送波に対応するフィードバック情報を、前記複数の報告インスタンスのうちの少なくとも１つの間に報告する［２３］に記載の装置。
［４０］前記送信コンポーネントは、複数の報告インスタンスにわたって報告するように構成され、少なくとも２つの異なるサブバンドに対応するフィードバック情報を、前記複数の報告インスタンスのうちの少なくとも１つの間に報告する［２３］に記載の装置。
［４１］前記コンフィギュレーションデータセットは、所望の報告シーケンスを識別するデータをさらに含み、前記送信コンポーネントは、前記所望の報告シーケンスに基づいて、前記基準ＣＱＩ値と、前記少なくとも１つの差分ＣＱＩ値とを送信するようにさらに構成されている［２３］に記載の装置。
［４２］前記コンフィギュレーションデータセットは、所望のＣＱＩ粒度を識別するデータをさらに含み、前記ＣＱＩ処理コンポーネントは、前記所望のＣＱＩ粒度に基づいて、前記基準ＣＱＩ値と、前記少なくとも１つの差分ＣＱＩ値とを把握するように構成されている［２３］に記載の装置。
［４３］前記コンフィギュレーションデータセットは、前記基準ＣＱＩ値または前記少なくとも１つの差分ＣＱＩ値のうちの少なくとも１つに対する所望のビット長の識別を含み、前記ＣＱＩ処理コンポーネントは、前記所望のビット長に基づいて、前記基準ＣＱＩ値または前記少なくとも１つの差分ＣＱＩ値のうちの少なくとも１つを把握するように構成されている［４２］に記載の装置。
［４４］前記送信コンポーネントは、ランクインジケータ（ＲＩ）またはプリコーディング行列インジケータ（ＰＭＩ）のうちの少なくとも１つを報告するように構成されている［２３］に記載の装置。
［４５］ワイヤレス端末からのマルチ搬送波チャネル品質インジケータ（ＣＱＩ）フィードバックを促進するコンピュータプログラムプロダクトにおいて、
複数の搬送波を通して基地局と通信するためと、
前記複数の搬送波中に含まれている搬送波のサブセットを識別するコンフィギュレーションデータセットを、前記基地局から受信するためと、
前記搬送波のサブセット内の基準搬送波を識別するためと、
前記基準搬送波に対応する基準ＣＱＩ値と、前記基準ＣＱＩ値から導出した少なくとも１つの差分ＣＱＩ値とを前記基地局に報告するためのコードを含むコンピュータ読取可能記憶媒体を具備するコンピュータプログラムプロダクト。
［４６］ワイヤレス端末からのマルチ搬送波チャネル品質インジケータ（ＣＱＩ）フィードバックを促進する装置において、
複数の搬送波を通して基地局と通信する手段と、
前記複数の搬送波中に含まれている搬送波のサブセットを識別するコンフィギュレーションデータセットを、前記基地局から受信する手段と、
前記搬送波のサブセット内の基準搬送波を識別する手段と、
前記基準搬送波に対応する基準ＣＱＩ値と、前記基準ＣＱＩ値から導出した少なくとも１つの差分ＣＱＩ値とを前記基地局に報告する手段とを具備する装置。
［４７］基地局からのマルチ搬送波チャネル品質インジケータ（ＣＱＩ）フィードバックを促進する方法において、
前記方法は、
プロセッサを用いて、
複数の搬送波を通してワイヤレス端末と通信するステップと、
前記複数の搬送波中に含まれている搬送波のサブセットを識別するコンフィギュレーションデータセットを発生させるステップと、
前記ワイヤレス端末に前記コンフィギュレーションデータセットを送信するステップと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するステップとを含む一連のステップを実現するように、コンピュータ読取可能記憶媒体上に記憶されているコンピュータ実行可能な命令を実行することを含む方法。
［４８］前記発生させることは、前記搬送波のサブセットのそれぞれに対するＣＱＩ値を把握するようにと、前記搬送波のサブセットのそれぞれに対する前記ＣＱＩ値の比較の関数として、前記基準搬送波を識別するように、前記ワイヤレス端末に指示する前記コンフィギュレーションデータセットを発生させることをさらに含む［４７］に記載の方法。
［４９］前記発生させることは、前記搬送波のサブセット間で最も高いＣＱＩ値を有する搬送波を識別するようにと、前記搬送波のサブセット間で最も高いＣＱＩ値を有する搬送波として、前記基準搬送波を識別するように、前記ワイヤレス端末に指示する前記コンフィギュレーションデータセットを発生させることをさらに含む［４８］に記載の方法。
［５０］前記発生させることは、前記コンフィギュレーションデータセットにより識別した特定の搬送波として、前記基準搬送波を識別するように、前記ワイヤレス端末に指示する前記コンフィギュレーションデータセットを発生させることをさらに含む［４７］に記載の方法。
［５１］前記発生させることは、前記コンフィギュレーションデータセットにより識別した前記基準搬送波の循環の関数として、前記基準搬送波を識別するように、前記ワイヤレス端末に指示する前記コンフィギュレーションデータセットを発生させることをさらに含む［４７］に記載の方法。
［５２］前記発生させることは、前記コンフィギュレーションデータセットにより識別した所望の報告シーケンスの関数として、前記基準ＣＱＩ値と、前記少なくとも１つの差分ＣＱＩ値とを報告するように、前記ワイヤレス端末に指示する前記コンフィギュレーションデータセットを発生させることをさらに含む［４７］に記載の方法。
［５３］前記発生させることは、前記コンフィギュレーションデータセットにより識別した所望のＣＱＩ粒度の関数として、前記基準ＣＱＩ値と、前記少なくとも１つの差分ＣＱＩ値とを報告するように、前記ワイヤレス端末に指示する前記コンフィギュレーションデータセットを発生させることをさらに含む［４７］に記載の方法。
［５４］前記発生させることは、前記基準ＣＱＩ値または前記少なくとも１つの差分ＣＱＩ値のうちの少なくとも１つに対する所望のビット長に基づいて、前記基準ＣＱＩ値または前記少なくとも１つの差分ＣＱＩ値のうちの少なくとも１つを報告するように、前記ワイヤレス端末に指示する前記コンフィギュレーションデータセットを発生させることをさらに含み、前記所望のビット長は、前記コンフィギュレーションデータセットにより識別する［５３］に記載の方法。
［５５］基地局からのマルチ搬送波チャネル品質インジケータ（ＣＱＩ）フィードバックを促進する装置において、
メモリ中に記憶されているコンピュータ実行可能なコンポーネントを実行するように構成されているプロセッサを具備し、
前記コンポーネントは、
複数の搬送波を通してのワイヤレス端末との通信を促進し、前記通信が、前記ワイヤレス端末へのコンフィギュレーションデータセットの送信を含むように構成されている通信コンポーネントと、
前記複数の搬送波中に含まれている搬送波のサブセットを識別する前記コンフィギュレーションデータセットを発生させるように構成されている発生コンポーネントと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するように構成されているＣＱＩ処理コンポーネントとを具備する装置。
［５６］前記発生コンポーネントは、前記搬送波のサブセットのそれぞれに対するＣＱＩ値を把握するようにと、前記搬送波のサブセットのそれぞれに対する前記ＣＱＩ値の比較の関数として、前記基準搬送波を識別するように、前記ワイヤレス端末に指示する前記コンフィギュレーションデータセットを発生させるようにさらに構成されている［５５］に記載の装置。
［５７］前記発生コンポーネントは、前記搬送波のサブセット間で最も高いＣＱＩ値を有する搬送波を識別するようにと、前記搬送波のサブセット間で最も高いＣＱＩ値を有する搬送波として、前記基準搬送波を識別するように、前記ワイヤレス端末に指示する前記コンフィギュレーションデータセットを発生させるようにさらに構成されている［５６］に記載の装置。
［５８］前記発生コンポーネントは、前記コンフィギュレーションデータセットにより識別した特定の搬送波として、前記基準搬送波を識別するように、前記ワイヤレス端末に指示する前記コンフィギュレーションデータセットを発生させるようにさらに構成されている［５５］に記載の装置。
［５９］前記発生コンポーネントは、前記コンフィギュレーションデータセットにより識別した前記基準搬送波の循環の関数として、前記基準搬送波を識別するように、前記ワイヤレス端末に指示する前記コンフィギュレーションデータセットを発生させるようにさらに構成されている［５５］に記載の装置。
［６０］前記発生コンポーネントは、前記コンフィギュレーションデータセットにより識別した所望の報告シーケンスの関数として、前記基準ＣＱＩ値と、前記少なくとも１つの差分ＣＱＩ値とを報告するように、前記ワイヤレス端末に指示する前記コンフィギュレーションデータセットを発生させるようにさらに構成されている［５５］に記載の装置。
［６１］前記発生コンポーネントは、前記コンフィギュレーションデータセットにより識別した所望のＣＱＩ粒度の関数として、前記基準ＣＱＩ値と、前記少なくとも１つの差分ＣＱＩ値とを報告するように、前記ワイヤレス端末に指示する前記コンフィギュレーションデータセットを発生させるようにさらに構成されている［５５］に記載の装置。
［６２］前記発生コンポーネントは、前記基準ＣＱＩ値または前記少なくとも１つの差分ＣＱＩ値のうちの少なくとも１つに対する所望のビット長に基づいて、前記基準ＣＱＩ値または前記少なくとも１つの差分ＣＱＩ値のうちの少なくとも１つを報告するように、前記ワイヤレス端末に指示する前記コンフィギュレーションデータセットを発生させるようにさらに構成され、前記所望のビット長は、前記コンフィギュレーションデータセットにより識別する［６１］に記載の装置。
［６３］基地局からのマルチ搬送波チャネル品質インジケータ（ＣＱＩ）フィードバックを促進するコンピュータプログラムプロダクトにおいて、
複数の搬送波を通してワイヤレス端末と通信するためと、
前記複数の搬送波中に含まれている搬送波のサブセットを識別するコンフィギュレーションデータセットを発生させるためと、
前記ワイヤレス端末に前記コンフィギュレーションデータセットを送信するためと、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理するためのコードを含むコンピュータ読取可能記憶媒体を具備するコンピュータプログラムプロダクト。
［６４］基地局からのマルチ搬送波チャネル品質インジケータ（ＣＱＩ）フィードバックを促進する装置において、
複数の搬送波を通してワイヤレス端末と通信する手段と、
前記複数の搬送波中に含まれている搬送波のサブセットを識別するコンフィギュレーションデータセットを発生させる手段と、
前記ワイヤレス端末に前記コンフィギュレーションデータセットを送信する手段と、
前記搬送波のサブセットに対する基準搬送波に対応する基準ＣＱＩ値と、前記基準ＣＱＩ値から導出した少なくとも１つの差分ＣＱＩ値とを含む、前記ワイヤレス端末から受信したＣＱＩデータを処理する手段とを具備する装置。
【手続補正３】
【補正対象書類名】図面
【補正対象項目名】図１５
【補正方法】変更
【補正の内容】
【図１５】
2012526462.tif 000019
【国際調査報告】
2012526462.tif 000020
2012526462.tif 000021
2012526462.tif 000022
2012526462.tif 000023
2012526462.tif 000024